(57)【要約】【課題】簡単な構成で装飾・演出効果を向上し得る遊技機を提供する。【解決手段】遊技盤に配設される側部可動演出装置１２７は、裏ユニットに配設した台座部材１３１に、円盤状に形成されたベース部材１５４が配設固定される。ベース部材１５４の表側に、表面側にＬＥＤ１５５ａ,１５５ｂが実装された円盤状の側部可動体用ＬＥＤ基板１０５が固定される。ベース部材１５４に配設されたモータの出力軸が、ベース部材１５４の第１貫通孔１５４ａおよび側部可動体用ＬＥＤ基板１０５の第２貫通孔１０５ａに挿通される。第２貫通孔１０５ａから前方に延出する出力軸にカバー体５６が連結されて、該カバー体５６はモータの駆動により回転される。【選択図】図３５
2010069170.tif 000002
【特許請求の範囲】
【請求項１】
遊技球が流下可能な遊技領域を有する遊技盤と、該遊技盤の裏側に配設され、図柄を変動表示可能な図柄表示装置と、前記遊技盤の遊技領域に配設されて遊技領域を流下する遊技球を一時的に受け入れて排出し、窓口を介して前記図柄表示装置の表示部が後方から臨む装飾枠と、前記遊技盤の前面側に臨む可動演出装置とを備える遊技機において、
前記可動演出装置は、
円盤状に形成されたベース部材と、
前記ベース部材の中心位置に前後に貫通するよう形成された第１貫通孔と、
前記ベース部材の表側に固定され、基板面に対して直交する方向に光を照射するＬＥＤが表面側に実装された円盤状のＬＥＤ基板と、
前記ＬＥＤ基板の中心位置に前後に貫通するよう形成された第２貫通孔と、
前記ベース部材の裏側に配設され、第１および第２貫通孔に出力軸が挿通されるモータと、
前記第２貫通孔から前方に突出するモータの出力軸が連結され、前記ベース部材の前側を覆うと共に該モータの駆動により回転されるカバー部材とを備え、
前記モータには、前後に貫通する通孔を形成したフランジ片が設けられ、
前記ベース部材の裏面には、前記フランジ片の突出端部側を囲繞してモータを位置規制する囲繞片が形成され、
前記ベース部材には、表面側に突出する第２ボスが形成されると共に、該ベース部材の裏面側から該第２ボスの内部に延在するネジ孔が形成されて、前記フランジ片を囲繞片で位置規制した状態でフランジ片の通孔に挿通したネジを該ネジ孔に螺挿することで、モータがベース部材に固定され、
前記ＬＥＤ基板には、前記第２ボスに対応する位置に、前後に開口する位置決め孔が形成されて、該位置決め孔に第２ボスを挿通して位置決めした状態で、ベース部材にＬＥＤ基板がネジ止めされ、
前記ベース部材には、前記第１貫通孔を挟んで対向する位置で後方へ向けて突出する固定部が設けられ、
前記遊技盤の前面側に臨む台座部材の板面部に、前記固定部を介して前記ベース部材が固定されると共に、該板面部には、ベース部材に配設されている前記モータを挿通する挿通孔が形成される
ことを特徴とする遊技機。
【請求項２】
前記ベース部材には、前記ＬＥＤ基板に設けられたコネクタソケットを挿通する開口部が形成され、
前記コネクタソケットに接続された配線は、前記板面部に開設された開口部を介して裏側に通出される請求項１記載の遊技機。
【請求項３】
前記カバー部材には、ベース部材より後方まで延出する固定片および該固定片の後端部に連設されて内側へ屈曲する検出片からなる位置検出片が設けられ、
前記ベース部材の裏側には、前記位置検出片の検出片を検出する位置検出手段が配設され、
前記位置検出手段は、発光素子を備えた第１片と、該第１片から前後方向に離間する位置に設けられて発光部からの光を受光する受光素子を備えた第２片とを備えたコ字状の光学式の検出センサであって、第１および第２片間の間隙がベース部材の周端側に開口して、回転する検出片が通過し得るよう構成され、
前記台座部材には、前記ベース部材から離間する位置にある第１片または第２片を収容する切欠き凹部が形成され、
前記ベース部材の前記固定部は、前記検出片の周回領域より内側に位置している請求項１または２記載の遊技機。
【請求項４】
前記カバー部材は、
前記モータの出力軸を挿通して連結される透明樹脂からなる固定部材と、
前記固定部材の前側に前記ＬＥＤ基板に対向するよう配設された透明レンズ部材と、
前記固定部材に配設されて前記透明レンズ部材の前側に臨み、該固定部材との間で透明レンズ部材を挟持する装飾フレーム体とを備え、
前記透明レンズ部材は、前記ＬＥＤ基板に対向し、光拡散処理がなされた円形の装飾面部と、該装飾面部の周端から後方へ延出する周壁部とを有し、
前記装飾フレーム体は、前記装飾面部の一部分を覆うフレーム部と、前記周壁部の外面を覆う筒状部とを有する請求項１〜３の何れか一項に記載の遊技機。
【発明の詳細な説明】
【技術分野】
【０００１】
この発明は、遊技盤の前面側に臨む可動演出装置を備える遊技機に関するものである。
【背景技術】
【０００２】
例えば遊技機の代表例の一つであるパチンコ機では、機内にセットされる遊技盤の前側に画成した遊技領域の略中央位置に装飾枠が配設され、該装飾枠に開設した窓口に、各種図柄を変動および停止表示させて所要の図柄変動ゲームを行なう図柄表示装置の表示部を後方から臨ませるよう構成される。そして、遊技盤の盤面(遊技領域)に打出されたパチンコ球が、装飾枠の下方位置に配設した始動入賞装置に入賞することにより、図柄表示装置での図柄変動ゲームが行なわれるようになっている。
【０００３】
またパチンコ機では、照明装置を装飾枠に配設し、図柄変動ゲームに合わせて照明装置の発光手段を点灯、消灯することで、発光による装飾・演出効果の向上を図ることが行なわれている。しかし、発光手段を点灯、消灯して演出するだけでは、装飾・演出効果に限界がある。そこで、可動演出装置の可動体に発光手段を設け、該可動体と一体に発光手段を移動させることで、装飾・演出効果を高める工夫がなされている(例えば、特許文献１参照)。
【特許文献１】特開２００７−１３６００２号公報
【発明の開示】
【発明が解決しようとする課題】
【０００４】
前述したように発光手段を移動させる構成においては、発光手段に配線が接続される関係上、大きな動作は困難で、また移動による配線の断線等の不具合防止対策が必要となり、装置の構成が複雑化する難点がある。しかも、構成が複雑となることで、装置を構成する各部品の組付けが煩雑となる。
【０００５】
すなわち本発明は、従来の技術に係る遊技機に内在する前記課題に鑑み、これを好適に解決するべく提案されたものであって、簡単な構成で装飾・演出効果を向上し得る遊技機を提供することを目的とする。
【課題を解決するための手段】
【０００６】
前記課題を克服し、所期の目的を達成するため、本願の請求項１に係る発明の遊技機は、
遊技球が流下可能な遊技領域(10a)を有する遊技盤(10)と、該遊技盤(10)の裏側に配設され、図柄を変動表示可能な図柄表示装置(11)と、前記遊技盤(10)の遊技領域(10a)に配設されて遊技領域(10a)を流下する遊技球を一時的に受け入れて排出し、窓口(12a)を介して前記図柄表示装置(11)の表示部が後方から臨む装飾枠(12)と、前記遊技盤(10)の前面側に臨む可動演出装置(127)とを備える遊技機において、
前記可動演出装置(127)は、
円盤状に形成されたベース部材(154)と、
前記ベース部材(154)の中心位置に前後に貫通するよう形成された第１貫通孔(154a)と、
前記ベース部材(154)の表側に固定され、基板面に対して直交する方向に光を照射するＬＥＤ(155a,155b)が表面側に実装された円盤状のＬＥＤ基板(105)と、
前記ＬＥＤ基板(105)の中心位置に前後に貫通するよう形成された第２貫通孔(105a)と、
前記ベース部材(154)の裏側に配設され、第１および第２貫通孔(154a,105a)に出力軸が挿通されるモータ(57)と、
前記第２貫通孔(105a)から前方に突出するモータ(57)の出力軸が連結され、前記ベース部材(154)の前側を覆うと共に該モータ(57)の駆動により回転されるカバー部材(56)とを備え、
前記モータ(57)には、前後に貫通する通孔(57b)を形成したフランジ片(57a)が設けられ、
前記ベース部材(154)の裏面には、前記フランジ片(57a)の突出端部側を囲繞してモータ(57)を位置規制する囲繞片(156)が形成され、
前記ベース部材(154)には、表面側に突出する第２ボス(157)が形成されると共に、該ベース部材(154)の裏面側から該第２ボス(157)の内部に延在するネジ孔が形成されて、前記フランジ片(57a)を囲繞片(156)で位置規制した状態でフランジ片(57a)の通孔(57b)に挿通したネジを該ネジ孔に螺挿することで、モータ(57)がベース部材(154)に固定され、
前記ＬＥＤ基板(105)には、前記第２ボス(157)に対応する位置に、前後に開口する位置決め孔(105b)が形成されて、該位置決め孔(105b)に第２ボス(157)を挿通して位置決めした状態で、ベース部材(154)にＬＥＤ基板(105)がネジ止めされ、
前記ベース部材(154)には、前記第１貫通孔(154a)を挟んで対向する位置で後方へ向けて突出する固定部(158)が設けられ、
前記遊技盤(10)の前面側に臨む台座部材(131)の板面部(152a)に、前記固定部(158)を介して前記ベース部材(154)が固定されると共に、該板面部(152a)には、ベース部材(154)に配設されている前記モータ(57)を挿通する挿通孔(152d)が形成されることを特徴とする。
【０００７】
請求項１の発明によれば、可動演出装置のカバー部材が回転することで、ＬＥＤの点灯・消灯による演出効果だけでなく、カバー部材の動作による演出が可能となり、装飾・演出効果の向上が図られる。しかも、ＬＥＤ基板やモータ自体を移動させる必要がないから、装置構成を簡単にできる。そして、装置構成が簡単になることで、装置を構成する各部品の組付けも簡単に行なうことができる。
【０００８】
請求項２に係る発明では、前記ベース部材(154)には、前記ＬＥＤ基板(105)に設けられたコネクタソケット(105c)を挿通する開口部(154b)が形成され、
前記コネクタソケット(105c)に接続された配線(LL2)は、前記板面部(152a)に開設された開口部(152d)を介して裏側に通出されることを要旨とする。
請求項２の発明によれば、ＬＥＤ基板に接続された配線を、台座部材の板面部に開設した開口部を介して裏側に通出させることができ、台座部材の周囲を引回す必要はなく、配線処理が容易となる。
【０００９】
請求項３に係る発明では、前記カバー部材(56)には、ベース部材(154)より後方まで延出する固定片(172a)および該固定片(172a)の後端部に連設されて内側へ屈曲する検出片(172b)からなる位置検出片(172)が設けられ、
前記ベース部材(154)の裏側には、前記位置検出片(172)の検出片(172b)を検出する位置検出手段(59)が配設され、
前記位置検出手段(59)は、発光素子を備えた第１片(59a)と、該第１片(59a)から前後方向に離間する位置に設けられて発光部からの光を受光する受光素子を備えた第２片(59b)とを備えたコ字状の光学式の検出センサであって、第１および第２片(59a,59b)間の間隙がベース部材(154)の周端側に開口して、回転する検出片(172b)が通過し得るよう構成され、
前記台座部材(131)には、前記ベース部材(154)から離間する位置にある第１片(59a)または第２片(59b)を収容する切欠き凹部(152e)が形成され、
前記ベース部材(154)の前記固定部(158)は、前記検出片(172b)の周回領域より内側に位置していることを要旨とする。
請求項３の発明によれば、第１および第２片間の間隙をベース部材の周端側に開口するように位置検出手段をベース部材に配設する構成により、該位置検出手段がベース部材から突出することはなく、装置の小型化を図り得ると共に位置検出手段が突出することで見栄えが低下するのを抑制し得る。
【００１０】
請求項４に係る発明では、前記カバー部材(56)は、
前記モータ(57)の出力軸を挿通して連結される透明樹脂からなる固定部材(160)と、
前記固定部材(160)の前側に前記ＬＥＤ基板(105)に対向するよう配設された透明レンズ部材(161)と、
前記固定部材(160)に配設されて前記透明レンズ部材(161)の前側に臨み、該固定部材(160)との間で透明レンズ部材(161)を挟持する装飾フレーム体(162)とを備え、
前記透明レンズ部材(161)は、前記ＬＥＤ基板(105)に対向し、光拡散処理がなされた円形の装飾面部(163)と、該装飾面部(163)の周端から後方へ延出する周壁部(164)とを有し、
前記装飾フレーム体(162)は、前記装飾面部(163)の一部分を覆うフレーム部(165)と、前記周壁部(164)の外面を覆う筒状部(166)とを有することを要旨とする。
請求項４の発明によれば、固定部材と装飾フレーム体とで透明レンズ部材を挟持する構成により、透明レンズ部材の固定手段を省略して部品点数および組立て工数を低減することができる。
【発明の効果】
【００１１】
本発明に係る遊技機によれば、簡単な構成で装飾・演出効果を向上することができると共に、組立ても簡単に行ない得る。
【発明を実施するための最良の形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機について)
実施例に係るパチンコ機は、図１に示すように、矩形枠状に形成されて遊技店の図示しない設置枠台に設置される外枠１０６の開口前面側に、遊技盤１０を着脱可能に保持した中枠１０７が開閉および着脱可能に組付けられて、該遊技盤１０の裏側に対して、各種図柄を変動表示可能な図柄表示装置１１が着脱し得るよう構成される。また、前記中枠１０７の前面側には、前記遊技盤１０を透視保護するガラス板を備えた前枠１０８が開閉可能に組付けられると共に、該前枠１０８の下方にパチンコ球を貯留する下球受け皿１０９が開閉可能に組付けられる。なお、実施例では、前記前枠１０８の下部位置に、パチンコ球を貯留する上球受け皿１１０が一体的に組付けられており、前枠１０８の開閉に合わせて上球受け皿１１０も一体的に開閉するよう構成される。
【００１４】
(中枠について)
図１〜図３に示すように、前記中枠１０７は、上縁をなす上枠部材と、下縁をなし、スピーカや打球発射装置、操作ハンドル１８８等が設置された下枠部材と、左側縁をなす左枠部材と、右側縁をなす右枠部材とから構成されて、これら上下左右の枠部材を組付けた際に、全体が前記外枠１０６の開口に整合する矩形枠状に形成される。そして、前記上下左右の枠部材を組付けた際に前後に開口する開口部分が、前記遊技盤１０を設置する遊技盤保持部として機能する。ここで、前記中枠１０７は、前記外枠１０６の左上端部および左下端部に設けられた支軸(図示せず)を介して枢支され、左側端部を中心として中枠１０７を回転させることで、該外枠１０６に対して中枠１０７を開閉し得るようになっている。なお、前記中枠１０７の遊技盤保持部には、左側に配設された回転保持具および右側に配設された固定具(何れも図示せず)を介して遊技盤１０が着脱自在に保持される。
【００１５】
図２に示すように、前記中枠１０７の上枠部材の裏側には、設置枠台等に設けられた外部球供給設備から供給されるパチンコ球を貯留する球タンク１１１が、該上枠部材の左右幅の略全幅に亘って設けられている。この球タンク１１１は、前記遊技盤保持部に配設された遊技盤１０の上部位置と前後に重なるよう構成されて、遊技盤１０の上下寸法を最大限大きくし得るようになっている。
【００１６】
また、前記中枠１０７の下枠部材の裏側には、前記上下の球受け皿１０９,１１０に連通する球供給路および設置枠台に設けた球回収樋に連通する球排出路(何れも図示せず)が夫々形成されたセット部材１１２が配設されている(図２参照)。前記球タンク１１１とセット部材１１２とは、各部材１１１,１１２における左枠部材側の端部間に架設された球通路ユニット１１３を介して連通接続されており、該球通路ユニット１１３に配設された球払出し装置１１４の駆動により球タンク１１１に供給されたパチンコ球を前記上下の球受け皿１０９,１１０へ給出するよう構成されている。また、このセット部材１１２には、図２に示すように、パチンコ機の電源制御を行なう電源装置１１５、前記球通路ユニット１１３に配設した球払出し装置１１４を駆動制御する払出し制御装置１１６、前記打球発射装置を駆動制御する発射制御装置１１７、外部端末に接続されるインターフェース基板１１８等が配設されている。なお、これらの各装置１１５,１１６,１１７やインターフェース基板１１８は、前記遊技盤１０の裏側に配設される主制御装置１１９(後述)に配線接続され、該主制御装置１１９からの制御信号に基づいて所定の制御を実行するようになっている。
【００１７】
(遊技盤について)
前記遊技盤１０は、図３,図４または図６等に示すように、所定板厚の積層合板の表面にセルを貼付けてルーター加工した化粧板であって、該遊技盤１０の前面には、略円形状に湾曲形成したレール１２０が配設されて、該レール１２０によりパチンコ球が流下可能な遊技領域１０ａが画成され、前記打球発射装置から発射されたパチンコ球が遊技領域１０ａ内に打ち出されるようになっている。また遊技盤１０の遊技領域１０ａには、該遊技盤１０に開設した装着口に装飾枠１２が前側から挿入されてネジ止めされると共に、遊技盤１０の裏側には、前記図柄表示装置１１が裏側に組付けられる裏ユニット４３が着脱自在に配設され、図柄表示装置１１の表示部は、裏ユニット４３の後述する開口部４３ｅおよび前記装飾枠１２の中央部に開設した窓口１２ａを介して前側から視認し得る状態で該窓口１２ａの後方に臨むよう構成される。
【００１８】
前記遊技領域１０ａにおける装飾枠１２の下方位置には、図３および図４に示す如く、遊技領域１０ａを流下するパチンコ球が入賞可能な始動入賞装置６７や特別入賞装置１２１が配設されており、該始動入賞装置６７にパチンコ球が入賞することで、前記図柄表示装置１１において図柄変動ゲームが展開され、該図柄変動ゲームの結果、図柄表示装置１１に所定の図柄組合わせで図柄が停止表示されると、前記特別入賞装置１２１の入賞口が開放して所謂大当りが発生し、多数の賞球を獲得し得るよう構成されている。前記遊技領域１０ａには、前記装飾枠１２の外側位置に多数の遊技釘が植設されると共に、該装飾枠１２より左方位置には、パチンコ球を検出する球検出センサ(図示せず)を備えた球通過ゲート１２２が設けられている。なお、前記球通過ゲート１２２をパチンコ球が通過することで、遊技盤１０(具体的には装飾枠１２)に設けられた普通図柄表示装置１２３の普通図柄が変動開始するよう設定されている。
【００１９】
前記遊技領域１０ａにおける装飾枠１２の下方位置には、図３および図４に示す如く、前記始動入賞装置６７や特別入賞装置１２１を挟む一方の側(左側)に、複数の普通入賞口１２４および電飾装置１２５が設けられた合成樹脂製の遊技部品８２が配設されており、該普通入賞口１２４に入賞して盤裏側に通出したパチンコ球は、前記裏ユニット４３に形成される後述する樋部１２６に通入するように構成される。また、始動入賞装置６７や特別入賞装置１２１を挟む他方の側(右側)には、前記装飾枠１２が延出し、該延出部１２ｂにも普通入賞口１２４および電飾装置１２５が設けられており、該普通入賞口１２４に入賞して盤裏側に通出したパチンコ球は、前記裏ユニット４３に形成される樋部１２６に通入するよう構成されている。
【００２０】
(装飾枠について)
前記装飾枠１２は、前述したように前記図柄表示装置１１において主に図柄変動ゲームが展開される領域を囲むものであって、該装飾枠１２によって、前記遊技領域１０ａに打ち出されたパチンコ球が図柄変動ゲームが展開される領域を横切って流下しないよう構成される。
【００２１】
前記装飾枠１２の下縁部には、図３〜図７等に示す如く、枠内に取込まれたパチンコ球を左右に転動可能な光透過性の合成樹材料で形成されたステージ６５が配設されており、該ステージ６５から遊技領域１０ａに排出されたパチンコ球が、前記始動入賞装置６７や普通入賞口１２４等に入賞可能に構成されている。また、装飾枠１２におけるステージ６５の左側に位置する左側枠部(側枠部)８８には、遊技領域１０ａを流下するパチンコ球が通入可能な球誘導部６６が設けられ、該球誘導部６６に通入したパチンコ球は、前記ステージ６５の左端側に誘導されるようになっている。この球誘導部６６は、光透過性の合成樹脂製であって、内部を流通するパチンコ球が前側から視認し得るよう構成してある。またステージ６５の右端側には、後述する側部可動演出装置１２７における最下位の可動機構部１２８の設置領域との間の境界位置に、該ステージ６５を転動するパチンコ球が可動機構部１２８側に移動するのを規制する球用保護壁１２９が設けられている。この球用保護壁１２９は、透明な合成樹脂製で、可動機構部１２８のカバー部材５６の内側(窓口１２ａ側)を覆う湾曲形状に形成してある。また装飾枠１２におけるステージ６５の右側に位置する右側枠部１３０には、側部可動演出装置１２７の各カバー部材５６(後述)が個別に臨む露出窓１３０ａが設けられると共に、窓口１２ａ側に延出して側部可動演出装置１２７の後述する台座部材１３１を被覆する被覆部１３０ｂが設けられている。
【００２２】
前記装飾枠１２の左側枠部８８には、図５および図７に示す如く、前記球誘導部６６の上部に、窓口１２ａ側に臨む光透過性の壁部８９が設けられている。この壁部８９は、窓口１２ａに臨んで前後方向に延在する側面部８９ａと、該側面部８９ａの前端に連設されて機前面に臨む前面部８９ｂ(図３参照)とから構成される。壁部８９は、透明な合成樹脂材料にアルミ等を半蒸着することで半透明の状態としたものであって、後述する縦発光装置９０を点灯した際には、その光によって窓口１２ａを側方から照明し得るようになっている。
【００２３】
(図柄表示装置について)
前記裏ユニット４３の裏側に配設される図柄表示装置１１は、各種図柄を表示可能な液晶パネルが収容ケースに収容されたユニット部材であって、図２に示す如く、該収容ケースの後面に、液晶パネルの表示を制御する表示制御装置１３２や液晶パネルのバックライトを制御するインバータ装置(図示せず)が配設される。更に、前記表示制御装置１３２およびインバータ装置の背面側には、後述する各発光装置４４,４８,６２,６３,６４,９０,１３３および前記電飾装置１２５を発光制御すると共に、後述する可動演出装置１２７,１３４を作動制御するサブ統括制御装置(制御装置)１３５が前後に重なるよう配設されており、該サブ統括制御装置１３５の制御信号に基づいて表示制御装置１３２が制御を実行して液晶パネルの表示面(表示部)で図柄変動ゲームが行なわれると共に、各発光装置４４,４８,６２,６３,６４,９０,１３３や電飾装置１２５による発光演出および各可動演出装置１２７,１３４による動作演出が行なわれるようになっている。なお、前記サブ統括制御装置１３５も前記主制御装置１１９に配線接続され、該主制御装置１１９からの制御信号に基づいて制御を実行するよう設定される。
【００２４】
(裏ユニットについて)
前記裏ユニット４３は、前記図柄表示装置１１の表示部に対応する開口寸法の開口部４３ｅが画成される枠状に形成された枠体であって、図５および図７に示す如く、前記開口部４３ｅが、前記装飾枠１２の窓口１２ａに臨む状態で、前記遊技盤１０の裏側に着脱自在に配設される。なお、以下の説明では、前記裏ユニット４３において、前記開口部４３ｅより上側の部位を上枠部４３ａと指称し、該開口部４３ｅより下側の部位を下枠部４３ｂと指称する。また、裏ユニット４３において、前記開口部４３ｅより左側の部位を左側枠部４３ｃと指称し、該開口部４３ｅより右側の部位を右側枠部４３ｄと指称する。実施例において左右の側枠部４３ｃ,４３ｄは、裏ユニット４３の４つの角部を構成するものとする。
【００２５】
前記裏ユニット４３は、図８に示す如く、上枠４５ａ、下枠４５ｂおよび左右の側枠４５ｃ,４５ｄから開口４５ｅが形成された枠状の表カバー体(枠部材)４５と、上枠４６ａ、下枠４６ｂおよび左右の側枠４６ｃ,４６ｄから開口４６ｅが形成された枠状の裏カバー体４６とを前後の関係で組付けることで構成される。そして、両カバー体４５,４６の前後に整合する両開口４５ｅ,４６ｅにより、裏ユニット４３の開口部４３ｅが形成されると共に、両カバー体４５,４６の間(各枠間)に、後述する上部モータ１５や発光装置６３,６４、および各種配線ＰＬ１,ＰＬ２,ＤＬ１,ＤＬ２,ＬＬ１〜ＬＬ４等が収容される部品収容空間Ｓ(図１１〜図１３等参照)が画成されるようになっている。表カバー体４５には、複数の可動演出装置１２７,１３４が配設されると共に、複数の発光装置４４,４８,６２,６３,６４,９０,１３３が配設され、裏ユニット４３において表カバー体４５は、可動演出装置および発光装置の取付部材として機能する。これに対して裏カバー体４６の裏面には前記図柄表示装置１１が配設され、裏ユニット４３において裏カバー体４６は、図柄表示装置１１の取付部材として機能すると共に、前記主制御装置１１９の取付部材としても機能するようになっている。
【００２６】
(表カバー体について)
前記表カバー体４５は、図１４〜図２２に示す如く、矩形枠状の前壁１３６の外縁および内縁に後方に延出する縁壁１３７が形成された後方へ開口する矩形の箱枠形状に形成され、前壁１３６の内縁に沿って形成される縁壁１３７の内側に開口４５ｅが形成される。この表カバー体４５には、上枠４５ａに上部可動演出装置(可動演出装置)１３４、上部発光装置(第２の発光装置)４８,４８および隅部発光装置１３３が配設され、下枠４５ｂに下部発光装置６３が配設され、左側枠４５ｃに側部発光装置６４および縦発光装置９０が配設され、右側枠４５ｄに側部可動演出装置(可動演出装置)１２７が配設される。また表カバー体４５は、透明な合成樹脂製で、一部に光拡散処理が施されている。すなわち、前記下部発光装置６３が配設される下枠４５ｂの全部、左側枠４５ｃにおける側部発光装置６４が配設される部位、および右側枠４５ｄにおける側部可動演出装置１２７が配設される部位(設置面部１３６ａ)の夫々に光拡散処理が施され、表カバー体４５の裏面に配設される下部発光装置６３および側部発光装置６４から照射される光を好適に拡散させると共に、各発光装置６３,６４や可動演出装置１２７,１３４等から導出する各種配線を前面側から視認し難くしてある。
【００２７】
前記表カバー体４５の内外の縁壁１３７の後端は、同一鉛直面に位置するのに対し、上枠４５ａおよび右側枠４５ｄの上部を構成する前壁１３６は、図１６に示す如く、他の部位の前壁１３６より前方に位置して、前記部品収容空間Ｓは、表カバー体４５の上枠４５ａおよび右側枠４５ｄの上部において前後寸法が大きく設定されて、前記上部可動演出装置１３４の後述する上部モータ１５や上部原位置検出手段３３等を余裕をもって収容し得るよう構成される。また表カバー体４５には、各種の配線フック５１,５３,１７８,１７９,１８０が設けられているが、該配線フック５１,５３,１７８,１７９,１８０については、各種配線ＰＬ１,ＰＬ２,ＤＬ１,ＤＬ２,ＬＬ１〜ＬＬ４,ＲＬ１との関係で後述する。
【００２８】
(裏カバー体について)
前記裏カバー体４６は、図２３〜図２６に示す如く、矩形状の後面板７７ａの外縁に前方に延出する縁壁７７ｂが形成されて前方へ開口し、前記表カバー体４５が収容可能な凹状の収容空間が画成された矩形箱状の上部収容部７７と、該上部収容部７７より下側に設けられて前記始動入賞装置６７の遊技盤裏側に突出する後部を収容する下部収容部６８とを有し、前記後面板７７ａに、前記表カバー体４５の開口４５ｅに対応する開口４６ｅが形成される。裏カバー体４６は、前記後面板７７ａに形成された開口４５ｅを基準として、上側の部分を上枠４６ａ、下側の部分を下枠４６ｂ、左側の部分を左側枠４６ｃおよび右側の部分を右側枠４６ｄとも称し、前記下部収容部６８は、下枠４６ｂにおける左右方向中央に形成されている。
【００２９】
前記上部収容部７７の左側に位置する左側枠４６ｃの下部側には、後面板７７ａより前方に位置する側部基板設置部１４０が設けられ、該側部基板設置部１４０の前面に後述する第２の中継基板５０が配設される。また側部基板設置部１４０の上部には、前後に開口する口部１４１が形成され、該口部１４１は、裏ユニット４３を遊技盤１０の裏面に配設した際に、前記球通過ゲート１２２の配設位置に対応し、前記球検出センサから導出する配線が、該口部１４１を介して裏カバー体４６の裏側に通出されるようになっている。更に、口部１４１より上部には、側部基板設置部１４０より更に前方に位置する面部１４２が設けられ、該面部１４２の前側には後述する第３の配線フック５４が形成されている。なお、側部基板設置部１４０、口部１４１および面部１４２が形成される左側枠４６ｃの裏側には、前記球通路ユニット１１３が臨んでおり、側部基板設置部１４０および面部１４２を前側に位置させることで、該球通路ユニット１１３の後方への突出量を抑えるようにしてある。
【００３０】
前記裏カバー体４６における上部収容部７７に、前記表カバー体４５が前側から組付けられて収容されるよう構成される。このとき、表カバー体４５の内外の縁壁１３７の後端が、裏カバー体４６の後面板７７ａの前面に当接することで、裏ユニット４３では、開口部４３ｅの周囲に、表カバー体４５の前壁１３６、縁壁１３７,１３７および裏カバー体４６の後面板７７ａにより部品収容空間Ｓが画成される(図１０〜図１３参照)。また裏カバー体４６の上枠４６ａには、前記表カバー体４５に配設される上部モータ１５の後方に臨む位置に複数の放熱口１４４が形成されて、部品収容空間Ｓに収容されている上部モータ１５からの放熱を行ない得るようになっている。更に、上部収容部７７において表カバー体４５の収容空間を画成する下側の縁壁７７ｂには、該表カバー体４５に形成される後述する第１の引出口１０２に対応する位置に、該第１の引出口１０２から外方に通出される第１の中継用配線ＲＬ１(後述)を、裏カバー体４６における下枠４６ｂの裏側に通出するための裏引出口７７ｃが形成されている(図２５参照)。
【００３１】
前記裏カバー体４６における後面板７７ａの裏面には、図２４および図２６に示す如く、前記開口４６ｅを挟む左右両側に取着部１４３,１４３が設けられ、両取着部１４３,１４３を介して前記図柄表示装置１１が、表示部を開口４６ｅに臨ませる状態で着脱自在に取付けられるようになっている。なお、裏カバー体４６の開口４６ｅは、表カバー体４５の開口４５ｅより大きく設定され、前側から裏カバー体４６の開口内縁が見えないように構成してある。また、裏カバー体４６の下枠４６ｂには、前記下部収容部６８を挟む両側に、前記遊技盤１０に設けた左右の普通入賞口１２４,１２４に対応して、該普通入賞口１２４,１２４に入賞したパチンコ球を受け入れて下側に案内する樋部１２６,１２６が形成されている。各樋部１２６には、パチンコ球を検出する球検出センサが配設される。なお、裏カバー体４６の上側の縁壁７７ｂには、前記表カバー体４５に配設した上部可動演出装置１３４の上部可動体１３に対応する位置に後方に凹設された上部切欠部７７ｄが形成されて、該縁壁７７ｂが上部可動体１３に干渉しないよう構成してある(図７参照)。
【００３２】
（表カバー体と裏カバー体との固定構造について）
前記裏カバー体４６の後面板７７ａには、図２３に示す如く、前側に突出する複数の第１位置決めボス７８が、開口４６ｅの外周縁部に離間して設けられる。また裏カバー体４６の上部収容部７７の内側下縁の左右両側に、表カバー体４５が収容される収容空間側に突出する位置決め段部７９が夫々設けられる。これに対し、表カバー体４５の前壁１３６に、図２２に示す如く、裏カバー体４６の各第１位置決めボス７８に対応する位置に第１通孔８１が形成されると共に、該表カバー体４５の下端の左右両側には、裏カバー体４６の位置決め段部７９,７９に対応する形状の位置決め用切欠部(切欠部)８０,８０が形成されている。裏カバー体４６と表カバー体４５とは、該表カバー体４５の位置決め用切欠部８０,８０を裏カバー体４６の対応する位置決め段部７９,７９に係合するようにして収容空間に収容することで、各第１通孔８１に第１位置決めボス７８が嵌合して位置決めされる(図９,図１１参照)。そして、各第１通孔８１に前側から挿通したネジを第１位置決めボス７８に形成したネジ孔に螺挿することで、裏カバー体４６と表カバー体４５とが固定されるよう構成される。
【００３３】
なお、前記左右の位置決め段部７９,７９の形状は異なっており、裏カバー体４６に対して表カバー体４５を左右が逆向きでは取付けられないようになっている。
【００３４】
(上部可動演出装置について)
前記表カバー体４５の上枠(裏ユニット４３の上枠部４３ａ)４５ａの略中央に、前記上部可動演出装置１３４が配設されている。この上部可動演出装置１３４は、表カバー体４５の前面に配設された装飾部材１４に上下移動自在に支持された上部可動体(可動体)１３を備え、該上部可動体１３は、裏ユニット４３を遊技盤１０の裏側に配設した状態で、装飾部材１４と共に前記装飾枠１２の窓口１２ａの内部上側に臨むようになっている(図１,図３,図４参照)。上部可動体１３は、後述する上部モータ１５によって上方の第１位置と下方の第２位置との間を上下方向に往復移動するよう構成され、第１位置では装飾部材１４の後述する前板４０の略正面に位置し、第２位置では装飾部材１４の前板４０の下方に一部が延出して、前記図柄表示装置１１の表示部における前側の一部を覆うよう設定される。
【００３５】
(上部可動体について)
前記上部可動体１３は、図２７および図２８に示す如く、前記装飾部材１４に支持されて、前記表カバー体４５における前壁１３６の裏面に配設された駆動手段としての上部モータ(上部駆動手段)１５によって上下に作動されるベース体１６を備える。ベース体１６は、前方に開放する筒状部２５と、該筒状部２５の左右両側から側方に延出する左右一対の延出部１４５,１４５とを有し、筒状部２５の後板２５ａ前面に、上部可動体用発光装置(第１の発光装置)４４が配設される。この上部可動体用発光装置４４は、前側を向く実装面１８ａに複数のＬＥＤ１７が前方に光を照射するよう実装される上部可動体用ＬＥＤ基板(ＬＥＤ基板)１８を備え、該ＬＥＤ基板１８の実装面１８ａは、筒状部２５に配設した状態で、遊技盤１０の前面と平行な姿勢となるよう構成される。また前記各延出部１４５の前側に、複数の固定装飾部品３１が配設されると共に、該固定装飾部品３１と延出部１４５との間に、複数の可動装飾部品３２が自由揺動自在に吊り下げられ、該可動装飾部品３２は上部可動体１３の上下移動等に際して揺動し得るようになっている。
【００３６】
前記ベース体１６における筒状部２５の前側には、前記ＬＥＤ１７からの光を前方に透過可能な透過部２３を有する取付手段１９と、この取付手段１９と上部可動体用ＬＥＤ基板１８との間に位置し、該ＬＥＤ基板１８の実装面１８ａに臨むレンズ面２０ａを有する第１のレンズカバー２０が配設されている。この第１のレンズカバー２０は、後方に開放する筒状に形成されると共に、後端縁が上側から下側に向かうにつれて前側に偏倚するよう傾斜し、該後端縁を前記上部可動体用ＬＥＤ基板１８の実装面１８ａに当接することで、該実装面１８ａに対して前記レンズ面２０ａが斜め下向きに傾斜する姿勢で位置決めされるようになっている(図３１参照)。
【００３７】
前記取付手段１９は、前後に開放する筒状に形成されると共に前端縁に内側に延出するフランジ２２ａが設けられて前記ベース体１６の筒状部２５にネジ止めされる取付部材２２と、該取付部材２２の裏側に位置し、取付部材２２をベース体１６にネジ止めした際にフランジ２２ａと前記第１のレンズカバー２０とで挟持される第２のレンズカバー２３とから構成される。そして、前述したように斜め下向きに傾斜する第１のレンズカバー２０のレンズ面２０ａと取付部材２２のフランジ２２ａとで挟持される第２のレンズカバー２３における上部可動体用ＬＥＤ基板１８の前側に臨むレンズ面２３ａも、第１のレンズカバー２０のレンズ面２０ａと同様に上部可動体用ＬＥＤ基板１８の実装面１８ａに対して斜め下向きに傾斜する姿勢となるよう構成される(図３１参照)。なお、筒状の取付部材２２に組付けられた第２のレンズカバー２３が、取付手段１９の透過部として機能する。
【００３８】
前記第１のレンズカバー２０の外周には、図２８に示す如く、周方向に離間して複数の第１の凹部２０ｂが設けられる。また前記第２のレンズカバー２３の内周における前記第１の凹部２０ｂと対応する位置に、該第１の凹部２０ｂに嵌合可能な位置決め突部２３ｂが夫々形成され、各第１の凹部２０ｂに位置決め突部２３ｂを夫々嵌合することで、両レンズカバー２０,２３の周方向の位置決めがなされる。
【００３９】
前記取付部材２２の内周に、図２８に示す如く、周方向に離間して複数のボス２２ｂが設けられると共に、該取付部材２２の内周には、周方向に隣り合うボス２２ｂ,２２ｂ間に、先端が後方に突出する位置決めピン２２ｃが設けられている。前記第２のレンズカバー２３の外周には、前記取付部材２２の各ボス２２ｂおよび位置決めピン２２ｃと対応する位置の夫々に、該ボス２２ｂおよび位置決めピン２２ｃに嵌合可能な第２の凹部２３ｃが形成され、各ボス２２ｂおよび位置決めピン２２ｃに第２の凹部２３ｃを夫々嵌合することで、取付部材２２と第２のレンズカバー２３との周方向の位置決めがなされる。なお、取付部材２２に形成されるボス２２ｂおよび位置決めピン２２ｃの夫々の周方向の離間距離は異なるように設定され、取付部材２２に対して第２のレンズカバー２３は、周方向の１つの位置でのみ組付け可能に構成される。また実施例では、第２のレンズカバー２３の位置決め突部２３ｂと第２の凹部２３ｃは同じ位置に形成され、第１の凹部２０ｂと位置決め突部２３ｂとにより第２のレンズカバー２３に対して位置決めされる第１のレンズカバー２０は、取付部材２２に対して周方向の１つの位置で位置決めされるようになっている。
【００４０】
前記ベース体１６における筒状部２５の内周には、図２７に示す如く、前記取付部材２２の各ボス２２ｂに対応する位置に通孔２５ｃが夫々形成されると共に、取付部材２２の位置決めピン２２ｃと対応する位置に位置決め孔２５ｂが形成されている。すなわち、取付部材２２の位置決めピン２２ｃをベース体１６の位置決め孔２５ｂに嵌挿して位置決めした状態で、ベース体１６の通孔２５ｃに裏側から挿通したネジを取付部材２２の対応するボス２２ｂに設けたネジ孔に螺挿することで、該取付部材２２がベース体１６に取付けられるようになっている。また、取付部材２２の後端が当接する前記筒状部２５の前端縁は、上側から下側に向かうにつれて後側に偏倚するよう傾斜している。すなわち、取付部材２２をベース体１６に取付けるだけで、前記第１のレンズカバー２０および第２のレンズカバー２３は、何れも前記上部可動体用ＬＥＤ基板１８の実装面１８ａに対して下方傾斜する姿勢となるよう構成される(図３１参照)。
【００４１】
前記上部可動体用ＬＥＤ基板１８の実装面１８ａには、図２７に示す如く、５つのＬＥＤ１７が実装されており、これら５つのＬＥＤ１７は、中央部に１つで、上部および下部において左右に離間して２つずつ配置される。そして、前記第１のレンズカバー２０のレンズ面２０ａが下方傾斜することで、該レンズ面２０ａに対して離間距離が遠い上部側の領域に配置される２つのＬＥＤ１７,１７の左右方向の離間距離は、レンズ面２０ａに対して離間距離が近い下部側の領域に配置される２つのＬＥＤ１７,１７の左右方向の離間距離より大きく設定される。
【００４２】
前記第１のレンズカバー２０のレンズ面２０ａの表面側には、第１の光拡散シート(光拡散シート)２１が貼着されている。この第１の光拡散シート２１の外周縁は、第１のレンズカバー２０の各第１の凹部２０ｂに対応する位置が切欠かれ、第１の凹部２０ｂと前記第２のレンズカバー２３の位置決め突部２３ｂとの嵌合を妨げないようにしてある。また、前記第１のレンズカバー２０のレンズ面２０ａと第２のレンズカバー２３のレンズ面２３ａとの間に、第２の光拡散シート２４が挟持されている。この第２の光拡散シート２４には、上下および左右の方向が決められている文字や絵等の図柄が描かれている。また第２の光拡散シート２４の外周縁には、前記第２のレンズカバー２３に設けられた各位置決め突部２３ｂに嵌合可能な第３の凹部２４ａが形成され、該第３の凹部２４ａを位置決め突部２３ｂに嵌合することで、第２のレンズカバー２３に対する第２の光拡散シート２４の周方向の位置決めがなされる。すなわち、第３の凹部２４ａを位置決め突部２３ｂに嵌合した状態で両レンズカバー２０,２３に挟持される第２の光拡散シート２４は、前記図柄が正しい姿勢で前側に臨むよう構成される。
【００４３】
(装飾部材について)
前記装飾部材１４は、光透過性を有する合成樹脂製であって、横長の前板４０と、該前板４０の下端縁から後方に向けて下方傾斜するよう設けられる庇部４１とからなり、前板４０が、前記表カバー体４５の上枠４５ａに配設した上部発光装置４８,４８の前側に臨むよう位置決めされる(図１４参照)。前板４０および庇部４１には、上下方向に延在する複数のリブを並列に形成した光拡散処理が施されて、前記上部発光装置４８,４８から照射される光を広範囲に拡散し得るようにしてある。
【００４４】
前記前板４０には、左右方向の中央部に上下方向に延在する長孔１４ａが形成され、該長孔１４ａに、前記上部可動体１３のベース体１６に設けた後述する固定部２６が前側から挿通されることで、前板４０の前側に上部可動体１３が、長孔１４ａの形成範囲内で上下に移動可能に支持される。また、前記庇部４１における長孔１４ａに対応する位置に、後述するラック２８の上下移動を許容する通孔４１ａが形成されている(図２８参照)。
【００４５】
(上部可動体の作動機構について)
前記装飾部材１４の長孔１４ａに、前記上部可動体１３を支持するための摺動部材２７が摺動自在に挿入されている。この摺動部材２７は、図２７,図２８または図３２に示す如く、上下に離間する一対の円筒部３０,３０と、該円筒部３０,３０を連設する連設部１４６と、円筒部３０,３０および連設部１４６の軸方向の一端(前端)から外方に延在する規制板部１４７とから基本的に構成される。円筒部３０の外径寸法は、装飾部材１４の長孔１４ａに摺動自在に挿入可能な寸法に設定されると共に、連設部１４６は円筒部３０の外径寸法より小さい幅寸法に設定され、当該摺動部材２７は、上下の円筒部３０,３０のみが、装飾部材１４の長孔１４ａを画成する内側面に摺接するようになっている。また規制板部１４７は、長孔１４ａより幅広に形成されて、円筒部３０,３０および連設部１４６を長孔１４ａに前側から挿入した際に、該規制板部１４７が装飾部材１４の前面に当接して位置決めするよう構成される。なお、連設部１４６には、上下の円筒部３０,３０の挿通孔３０ａ,３０ａに連通するスリット１４６ａが形成されている。
【００４６】
前記上部可動体１３のベース体１６の裏面には、上下に離間する一対の円柱状のボス２６ａ,２６ａを備える固定部２６が、上部側に偏った位置において後方に向けて突設され、各ボス２６ａが、前記摺動部材２７の対応する円筒部３０の挿通孔３０ａに前側から挿通されて、上部可動体１３は摺動部材２７と共に装飾部材１４に摺動自在に支持される。摺動部材２７における挿通孔３０ａの内径寸法は、ボス２６ａの外径寸法より大きく設定されて(図３２参照)、一対のボス２６ａ,２６ａを円筒部３０,３０の挿通孔３０ａ,３０ａに挿通した状態で、摺動部材２７に対して上部可動体１３は上下・左右の何れの方向へも移動可能に構成されている。すなわち、前記長孔１４ａに摺動自在に挿入される摺動部材２７に対して固定部２６は遊嵌されて、長孔１４ａに沿って摺動部材２７が上下に移動する際に、上部可動体１３が左右に移動するのが許容されている。なお、一対のボス２６ａ,２６ａの間にリブ２６ｂが連設され、このリブ２６ｂが前記摺動部材２７の連設部１４６におけるスリット１４６ａに遊嵌してある。
【００４７】
前記固定部２６における摺動部材２７および長孔１４ａから後方に延出する端部に、図３３に示す如く、上下方向(上部可動体１３の移動方向)に延在するラック２８がネジ止め固定されている。ラック２８には、上端側に偏倚した位置において、固定部２６のボス２６ａ,２６ａと同じ距離離間して一対の凹部２８ｂ,２８ｂが後方に開口して形成されて、各凹部２８ｂに、対応するボス２６ａの端部が嵌挿される。そして、ラック２８の各凹部２８ｂに対応する位置に夫々形成した通孔に後側から挿通したネジを、ボス２６ａに形成したネジ孔に螺挿することで、ラック２８が固定部２６に固定される。なお、図３３に示す如く、固定部２６はラック２８の上端側に偏倚した位置に固定され、この状態でラック２８は、前記ベース体１６における筒状部２５の外縁より外方に延出しない長さ寸法に設定される。また前記凹部２８ｂの深さ寸法は、前記ボス２６ａにおける摺動部材２７から後方への突出長さより短かく設定され、前記装飾部材１４における前板４０の裏側でラック２８を固定部２６に固定したときに、摺動部材２７がベース体１６とラック２８とで挟持されて自由移動が規制されることがないようにしてある。すなわち、ラック２８を含めて上部可動体１３は、摺動部材２７に対して所定範囲で自由に移動可能に構成される。
【００４８】
前記ラック２８の一側面、実施例では右側面に歯部２８ａが上下方向の全長に亘って形成されると共に、該ラック２８の左側面(他側面)には、後述する上部原位置検出手段３３が検出可能な被検出部３４が、後方に向けて所定長さで突設されている。
【００４９】
前記表カバー体４５の前壁１３６の裏面には、図１７に示す如く、左右方向の略中央部に前記上部モータ１５が配設され、前壁１３６に形成した通孔を介して前方に延出する上部モータ１５の出力軸にピニオン２９が配設されている。このピニオン２９は、前記ラック２８に形成された歯部２８ａに噛合しており、上部モータ１５でピニオン２９を正逆方向に回転駆動することで、該ピニオン２９とラック２８との噛合作用下に、上部可動体１３が上下方向に移動するよう構成される。ピニオン２９に対してラック２８は、上部可動体１３の移動方向と交差する方向へのラック２８の移動を許容する状態で噛合すると共に、噛合状態でピニオン２９に対してラック２８は、その噛合部位を支点として揺動可能に構成される。すなわち、前記摺動部材２７に対して自由移動可能な関係で取付けられるラック２８および上部可動体１３は、ラック２８とピニオン２９との噛合状態においても所定範囲で自由移動可能に構成されている。また表カバー体４５に配設される上部モータ１５は、前述したように前記裏ユニット４３の部品収容空間Ｓに収容される。更に、前記固定部２６に対するラック２８の固定位置が上端側に偏倚した位置に設定されることにより、該ラック２８の固定部２６との固定位置から離間する位置にピニオン２９が噛合した際には、該ピニオン２９から加わる力によって上部可動体１３がより揺動し易くなっている。
【００５０】
（上部原位置検出手段について）
前記表カバー体４５の上枠４５ａにおける前壁１３６に、前方に開放すると共に上下方向に延在する長溝４２が形成され、該長溝４２内に、前記ラック２８に設けた被検出部３４が上下方向に移動可能に臨んでいる。また前記前壁１３６の裏面には、長溝４２の上端部側に、前記被検出部３４を検出可能な上部原位置検出手段(位置検出手段)３３が、センサ固定部品１４８(図１８参照)を介して取付けられている。この上部原位置検出手段３３は、前記上部可動体１３が原位置、実施例では第１位置に到来した際に該上部可動体１３と一体的に移動する被検出部３４を検出し、その検出信号に基づいて前記上部モータ１５が前記サブ統括制御装置１３５により制御される。また表カバー体４５に配設される上部原位置検出手段３３は、前述したように前記裏ユニット４３の部品収容空間Ｓに収容される。
【００５１】
（上部可動体用発光装置の配線絡み防止構造について）
前記上部可動体１３の筒状部２５における後板２５ａには、前記上部可動体用発光装置４４における上部可動体用ＬＥＤ基板１８の裏面に突設されたコネクタソケット(コネクタ接続部)３７と対応する位置にソケット挿通口２５ｄが形成されて、該ソケット挿通口２５ｄを介してコネクタソケット３７が裏側へ延出している。コネクタソケット３７およびソケット挿通口２５ｄは、筒状部２５に突設される固定部２６を挟んで、前記ラック２８の歯部２８ａが形成される側とは反対側(左側)に臨んでいる。また前記装飾部材１４の前板４０には、図３４に示す如く、前記上部可動体用発光装置４４のコネクタソケット３７と対応する位置に、上下方向(上部可動体１３の移動方向)に所定長さで延在する第１の挿通孔１４ｂが形成され、コネクタソケット３７に接続する上部可動体発光用配線(第１の発光用配線)ＬＬ１が第１の挿通孔１４ｂを介して裏側に通出されるよう構成される。
【００５２】
前記表カバー体４５における上枠４５ａの前壁１３６には、前記第１の挿通孔１４ｂと対応する位置に、上下方向に所定長さで延在する第２の挿通孔４７が形成されており、第１の挿通孔１４ｂに前側から挿通された前記上部可動体発光用配線ＬＬ１は、第２の挿通孔４７を介して前壁１３６の裏側に通出される。すなわち、上部可動体発光用配線ＬＬ１は、前記裏ユニット４３に形成された部品収容空間Ｓに挿入されるようになっている。なお、部品収容空間Ｓに挿入された上部可動体発光用配線ＬＬ１は、後述する左側に位置する上部発光装置４８の上部ＬＥＤ基板(基板)９８に設けられた中継用コネクタソケット９８ｃに接続される。また、第１の挿通孔１４ｂおよび第２の挿通孔４７の幅寸法は、上部可動体発光用配線ＬＬ１の幅より大きく設定され、上部可動体１３(上部可動体用発光装置４４)の上下移動に伴って移動する上部可動体発光用配線ＬＬ１に、接触による負荷が加わるのを抑制し得るようにしてある。
【００５３】
前記装飾部材１４における前板４０の裏面には、図３４に示す如く、前記長孔１４ａと第１の挿通孔１４ｂとの間に、該挿通孔１４ｂに沿って上下方向に延在する規制壁３６が後方に向けて突設されている。この規制壁３６は、前記表カバー体４５の上枠４５ａに装飾部材１４を配設した状態において、後端が、上枠４５ａの前壁１３６に形成した前記長溝４２と第２の挿通孔４７との間の前壁１３６前面に近接して、前記ラック２８に設けた被検出部３４と第１の挿通孔１４ｂから裏側に通出された上部可動体発光用配線ＬＬ１との間に位置して、両者３４,ＬＬ１の移動領域を左右に仕切るよう構成される。また、装飾部材１４の前板４０には、前記上部可動体１３が第１位置に臨む状態で、前記上部可動体用発光装置４４のコネクタソケット３７が臨む部位に、前記第１の挿通孔１４ｂから後方に離間して保護壁３８が設けられる。そして、この保護壁３８は、上部可動体１３が第１位置に移動する際に上部可動体発光用配線ＬＬ１に下端縁が当接して該配線ＬＬ１を第１の挿通孔１４ｂ側に変位させるよう機能する。また、前記上部可動体１３が第１位置に臨む状態において、前記被検出部３４が保護壁３８の側方に位置するよう構成される(図２９参照)。
【００５４】
なお、前記装飾部材１４における前板４０の裏面には、第１の挿通孔１４ｂを挟んで規制壁３６と反対側に、該規制壁３６と同様に前記表カバー体４５の上枠４５ａに装飾部材１４を配設した状態において、後端が上枠４５ａの前壁１３６前面に近接する補助規制壁１５０が突設されている。そして、この補助規制壁１５０は、第１の挿通孔１４ｂから裏側に通出された上部可動体発光用配線ＬＬ１が正面左側に大きく屈曲して、前記上部発光装置４８の前面側に延出するのを規制するべく機能する。
【００５５】
（側部可動演出装置について）
前記表カバー体４５の右側枠４５ｄにおける前壁１３６の前面には、後述する隅部発光装置１３３の配設位置より下側に設置面部１３６ａが設けられ、該設置面部１３６ａに、前記装飾枠１２の窓口１２ａに臨む側部可動演出装置(可動演出装置)１２７が着脱自在に配設される。側部可動演出装置１２７は、図３５〜図３７に示す如く、前記表カバー体４５の設置面部１３６ａに取付けられる台座部材１３１と、該台座部材１３１に配設される複数(実施例では３つであるが２つあるいは４つ以上であってもよい)の可動機構部１２８とから基本的に構成される。
【００５６】
前記台座部材１３１は、後方に開口する箱状に形成されて、後端を前記設置面部１３６ａに当接した状態で、前記前壁１３６の裏側から複数箇所でネジ止めされるベース１５１と、該ベース１５１の前面において上下に離間すると共に左右方向に変位した位置に設けられる複数(可動機構部１２８と同数)の円筒状設置部１５２とを備える。各円筒状設置部１５２は、基本的には、後方に開口する筒状に形成されると共に、設置面部１３６ａから離間する端縁に設けられて前面をなす板面部１５２ａが設置面部１３６ａに対して所定角度で傾斜し、該円筒状設置部１５２の内部空間１５２ｂはベース１５１の内部空間に連通している。設置面部１３６ａに対して３つの円筒状設置部１５２の各板面部１５２ａは、何れも内側(装飾枠１２の窓口１２ａ中央側)に向けて傾斜し、該板面部１５２ａに配設される可動機構部１２８の後述するカバー部材５６を、遊技を行なっている遊技者に向けて指向するよう構成してある。なお、各円筒状設置部１５２における板面部１５２ａの設置面部１３６ａからの離間距離および傾斜角度は同一ではなく、各円筒状設置部１５２に配設される可動機構部１２８のカバー部材５６の指向方向も異なるようになっている。
【００５７】
前記円筒状設置部１５２は、上側の２つについては、図１４および図１５に示す如く、表カバー体４５の開口４５ｅから離間する外側に位置して後端が設置面部１３６ａ内に収まるように配置されるのに対し、最下位の円筒状設置部１５２は、図１７および図１８に示す如く、上２つの円筒状設置部１５２,１５２より内側に大きく変位して、後端が設置面部１３６ａより内側に延出して一部が表カバー体４５の開口４５ｅ内に開口するよう構成される。また、上側の２つの円筒状設置部１５２,１５２における外側部には、設置面部１３６ａの外端縁と整合する位置で外側方に開口する楕円開口１５２ｃが形成される。すなわち、３つの円筒状設置部１５２の夫々は、後端開口または楕円開口１５２ｃを介して内部空間１５２ｂが外部に連通し、該内部空間１５２ｂ内の放熱を行ない得るようになっている。前記各円筒状設置部１５２の板面部１５２ａには、前記可動機構部１２８の側部モータ５７が内部空間１５２ｂ内に挿通される挿通孔１５２ｄが形成されている。
【００５８】
前記各円筒状設置部１５２に配設される各可動機構部１２８の構成は同一である。可動機構部１２８は、図３５に示す如く、円盤状に形成されるベース部材１５４と、ベース部材１５４の表側に固定される側部可動体用発光装置(第３の発光装置)６２と、ベース部材１５４の裏側に配設された側部駆動手段としての側部モータ(モータ)５７と、前記ベース部材１５４の前側を覆うと共に前記側部モータ５７により回転駆動される側部可動体としてのカバー部材５６とを基本的に備える。前記側部可動体用発光装置６２は、ベース部材１５４の表側に固定される円盤状の側部可動体用ＬＥＤ基板１０５と、該ＬＥＤ基板１０５の表面側に実装されて、該表面(基板面)に対して直交する方向に光を照射する複数のＬＥＤ１５５ａ,１５５ｂとを有する。図３８に示す如く、前記ベース部材１５４の中心位置に、前後に貫通するように第１貫通孔１５４ａが形成されると共に、前記側部可動体用ＬＥＤ基板１０５の中心位置に前後に貫通するように第２貫通孔１０５ａが形成され、両貫通孔１５４ａ,１０５ａに挿通された側部モータ５７の出力軸に、前記カバー部材５６がネジ(締結具)を介して着脱自在が配設されるよう構成される。すわなち、側部可動体用ＬＥＤ基板１０５に対し、該ＬＥＤ基板１０５の前側を覆うカバー部材５６のみが回転(動作)して動作演出を行なうようになっている。
【００５９】
（ベース部材および側部可動体用ＬＥＤ基板について)
前記側部モータ５７の前端部には、図３８に示す如く、外側方に突出する一対のフランジ片５７ａ,５７ａが周方向に離間して形成されると共に、各フランジ片５７ａには前後に貫通する通孔５７ｂが形成されている。前記ベース部材１５４の裏面には、前記側部モータ５７の各フランジ片５７ａの突出端部側を囲繞して側部モータ５７を位置規制する囲繞片１５６が対応して形成されている。またベース部材１５４には、表面側に突出する第２ボス１５７が形成されると共に、該ベース部材１５４の裏面側から該第２ボス１５７の内部に延在するネジ孔が形成されて、前記各フランジ片５７ａを対応する囲繞片１５６で位置規制した状態で、各フランジ片５７ａの通孔５７ｂに挿通したネジを、対応する第２ボス１５７のネジ孔に螺挿することで、側部モータ５７がベース部材１５４に固定される。
【００６０】
前記側部可動体用ＬＥＤ基板１０５には、前記ベース部材１５４の各第２ボス１５７に対応する位置に、前後に開口する位置決め孔１０５ｂが夫々形成されており、各位置決め孔１０５ｂに対応する第２ボス１５７を挿通することで、ベース部材１５４に対して側部可動体用ＬＥＤ基板１０５が位置決めされる。そして、該ＬＥＤ基板１０５は、ベース部材１５４にネジ止めされる。また側部可動体用ＬＥＤ基板１０５の裏面には、図３８に示す如く、第２貫通孔１０５ａの側方にコネクタソケット１０５ｃが突設される。更に、ベース部材１５４には、前記側部可動体用ＬＥＤ基板１０５のコネクタソケット１０５ｃと対応する位置にソケット用の開口部１５４ｂが形成されて、コネクタソケット１０５ｃはソケット用の開口部１５４ｂに挿通されて接続口がベース部材１５４裏側に臨んでいる。そして、側部可動体用ＬＥＤ基板１０５のコネクタソケット１０５ｃに接続する側部可動体発光用配線(配線)ＬＬ２は、前記板面部１５２ａの挿通孔１５２ｄを介して円筒状設置部１５２の内部空間１５２ｂに引込まれるようになっている。
【００６１】
前記ベース部材１５４の裏面には、後方へ向けて突出する一対の固定部１５８,１５８が、前記第１貫通孔１５４ａを挟んで対向する位置に設けられ、該固定部１５８,１５８の後端を円筒状設置部１５２の板面部１５２ａに当接した状態で、該板面部１５２ａに穿設した通孔に裏側から挿通したネジを、各固定部１５８に形成したネジ孔に螺挿することで、円筒状設置部１５２に対してベース部材１５４が固定される。この状態で、ベース部材１５４の裏側に配設した側部モータ５７が、板面部１５２ａの挿通孔１５２ｄを介して内部空間１５２ｂに臨むようになっている(図４０参照)。なお、ベース部材１５４の裏面には、各固定部１５８に近接して位置決めピン１５９が後方へ向けて突設され、該位置決めピン１５９を円筒状設置部１５２の板面部１５２ａに穿設した通孔に挿通することで、円筒状設置部１５２に対するベース部材１５４の位置決めがなされるよう構成してある。
【００６２】
前記側部可動体用ＬＥＤ基板１０５に実装される複数のＬＥＤについては、基板中心近傍に配設される第１ＬＥＤ１５５ａに対し、外周端縁近傍に配設される第２ＬＥＤ１５５ｂは発光色または発光強度が異なるよう設定される。また複数の第１ＬＥＤ１５５ａは、同一円周上において周方向に一定間隔で離間して配置され、複数の第２ＬＥＤ１５５ｂは、前記第２貫通孔１０５ａの周縁に沿って周方向に所定間隔で離間して配置される(図３５参照)。なお、第２ＬＥＤ１５５ｂに対して第１ＬＥＤ１５５ａは大型(発光強度が大)であり、また第２ＬＥＤ１５５ｂの数は第１ＬＥＤ１５５ａの数より多く設定されている。
【００６３】
（カバー部材について)
前記カバー部材５６は、図３９に示す如く、前記側部モータ５７の出力軸を挿通して連結される透明樹脂からなる固定部材１６０と、この固定部材１６０の前側に前記側部可動体用ＬＥＤ基板１０５に対向するよう配設された透明レンズ部材１６１と、前記固定部材１６０に配設されて透明レンズ部材１６１の前側に臨み、該固定部材１６０との間で透明レンズ部材１６１を挟持する装飾フレーム体１６２とを備える。前記透明レンズ部材１６１は、前記側部可動体用ＬＥＤ基板１０５に対向し、光拡散処理がなされた円形の装飾面部１６３と、該装飾面部１６３の周端から後方へ延出する周壁部１６４とから構成される。また透明レンズ部材１６１の装飾面部１６３に施される光拡散処理については、前記第１ＬＥＤ１５５ａが対向する領域と前記第２ＬＥＤ１５５ｂが対向する領域とで異なる光拡散加工とされ、各ＬＥＤ１５５ａ,１５５ｂの発光色または発光強度の違いおよび光拡散加工の違いの相乗効果によって、興趣の高い発光演出を行ない得るようになっている。
【００６４】
前記装飾フレーム体１６２は、前記透明レンズ部材１６１の装飾面部１６３の一部分を覆うフレーム部１６５と、透明レンズ部材１６１の前記周壁部１６４の外面を覆う筒状部１６６とを有し、周壁部１６４に対して筒状部１６６を外嵌することで装飾フレーム体１６２と透明レンズ部材１６１とが組付けられる。装飾フレーム体１６２のフレーム部１６５は、前記透明レンズ部材１６１の装飾面部１６３において前記第１ＬＥＤ１５５ａが対向する領域および前記第２ＬＥＤ１５５ｂが対向する領域の境界に沿って延在する内側の環状部１６５ａおよび第１ＬＥＤ１５５ａが対向する領域より外側に位置する外側の環状部１６５ｂと、両環状部１６５ａ,１６５ｂを前記筒状部１６６に連結するよう径方向に延在すると共に周方向に離間する複数の連結片部１６５ｃとからなり、環状部１６５ａ,１６５ｂおよび連結片部１６５ｃ以外の部分が前後に開口している。装飾フレーム体１６２は、全体が光を透過しない処理が施されており、前記フレーム部１６５に形成された開口部分からのみ前記ＬＥＤ１５５ａ,１５５ｂからの光が前方に照射されるようになっている。
【００６５】
前記フレーム部１６５における連結片部１６５ｃの裏側に、後方へ突出する複数(実施例では３つ)のボス１６５ｄが設けられ、該ボス１６５ｄには後端側に開口するネジ孔が形成されている。これに対して前記透明レンズ部材１６１には、装飾フレーム体１６２の前記各ボス１６５ｄに対応する位置に、後方に突出する突部１６１ａが夫々設けられると共に、各突部１６１ａにはボス１６５ｄが挿通可能な第２の通孔１６１ｂが形成されている。そして、各第２の通孔１６１ｂに対応するボス１６５ｄを挿通することで、装飾フレーム体１６２に対する透明レンズ部材１６１の周方向の位置決めがなされる。
【００６６】
前記固定部材１６０は、前記側部モータ５７の出力軸が挿通される連結部１６７と、前記側部可動体用ＬＥＤ基板１０５と平行に延在するよう該連結部１６７から放射状に延出する複数の支持片１６８と、該支持片１６８の延出端に連結された環状体１６９とを備える。また環状体１６９の外周には、前記装飾フレーム体１６２に設けた各ボス１６５ｄと対応する位置の夫々に、延出部１７０が設けられ、各延出部１７０には、前方に開口してボス１６５ｄが嵌合可能な凹部１７０ａ(図３５参照)と、該凹部１７０ａ内に前後に貫通する第１の通孔１７０ｂとが形成されている。そして、前記装飾フレーム体１６２の各ボス１６５ｄを透明レンズ部材１６１の第２の通孔１６１ｂに挿通すると共に固定部材１６０の凹部１７０ａに嵌合した状態で、該固定部材１６０の第１の通孔１７０ｂを介してボス１６５ｄのネジ孔にネジを螺挿することで、３つの部材１６０,１６１,１６２が位置決め固定される。
【００６７】
前記透明レンズ部材１６１における前記装飾面部１６３の裏側に、前記第１ＬＥＤ１５５ａが対向する領域を覆う環状の光拡散シート１７１が設けられている。この光拡散シート１７１には、前記装飾フレーム体１６２の各ボス１６５ｄと対応する位置の夫々に通孔が形成され、透明レンズ部材１６１の突部１６１ａから後方に突出したボス１６５ｄを通孔に挿通した状態で固定部材１６０がボス１６５ｄにネジ止めされることで、該固定部材１６０と透明レンズ部材１６１の突部１６１ａとで挟持されるようになっている。すなわち、光拡散シート１７１は、透明レンズ部材１６１の装飾面部１６３に対して突部１６１ａの突出分だけ離間し、該光拡散シート１７１が装飾面部１６３に密着しないよう構成してある。なお、光拡散シート１７１は、第１ＬＥＤ１５５ａが対向する領域でなく、前記第２ＬＥＤ１５５ｂが対向する領域のみを覆うものでも、または第１および第２ＬＥＤ１５５ａ,１５５ｂが対向する全ての領域を覆うものであってもよいが、装飾面部１６３に現われる第１ＬＥＤ１５５ａと第２ＬＥＤ１５５ｂとの光り方に変化を設ける点では、何れか一方の領域のみを覆う構成が好適である。
【００６８】
（側部モータとカバー部材との固定構造について）
前記固定部材１６０の連結部１６７には、前記出力軸が挿通される固定孔１６７ａが軸方向に延在するよう形成されると共に、該連結部１６７には、径方向に延在して固定孔１６７ａに連通するネジ孔１６７ｂが形成されており、出力軸を固定孔１６７ａに挿通した状態で、ネジ孔１６７ｂに螺挿したネジ(締結具)の先端を出力軸に押付けることで、固定部材１６０は出力軸と一体で回転するように固定される。また前記透明レンズ部材１６１の周壁部１６４および前記装飾フレーム体１６２の筒状部１６６には、透明レンズ部材１６１および装飾フレーム体１６２を組付けた際に径方向に整列する開口部１６４ａ,１６６ａが形成され、前記連結部１６７に螺着されたネジの頭部が、該開口部１６４ａ,１６６ａを指向するようになっている。更に、前記側部可動体用ＬＥＤ基板１０５には、前記第２貫通孔１０５ａから基板周端まで延在する切欠き溝１０５ｄが形成されている。そして、前記ベース部材１５４(側部可動体用ＬＥＤ基板１０５)に対してカバー部材５６を回転させて透明レンズ部材１６１および装飾フレーム体１６２の開口部１６４ａ,１６６ａを側部可動体用ＬＥＤ基板１０５の切欠き溝１０５ｄに臨ませることで、前記連結部１６７に螺着されたネジにアクセス可能な外方に開口する操作路が形成され、該操作路を介してドライバー等の工具(操作具)をカバー部材５６の内部に挿入してネジを着脱操作し得るよう構成される。
【００６９】
（側部原位置検出手段について）
前記カバー部材５６の固定部材１６０には、前記ベース部材１５４より後方まで延出する固定片１７２ａおよび該固定片１７２ａの後端部に連設されて内側へ屈曲する検出片１７２ｂからなる位置検出片１７２が設けられている。なお、図４０に示す如く、カバー部材５６において前記ベース部材１５４の周端を覆う透明レンズ部材１６１の周壁部１６４と、該ベース部材１５４の周端との間には前後に開口する環状の隙間１７３が形成されており、前記位置検出片１７２の固定片１７２ａは、該環状の隙間１７３を介してベース部材１５４より後方まで延出している。また前記位置検出片１７２の固定片１７２ａは、前記周壁部１６４の内面に当接支持されて、カバー部材５６の回転時に位置検出片１７２が径方向外方に変位して、後述する側部原位置検出手段５９での検出不良となるのを防止するよう構成される。
【００７０】
前記ベース部材１５４の裏側には、前記位置検出片１７２の検出片１７２ｂを検出可能な側部原位置検出手段(位置検出手段)５９が配設されている。この側部原位置検出手段５９は、図３８に示す如く、発光素子を備えた第１片５９ａと、該第１片５９ａから前後方向に離間する位置に設けられて発光部からの光を受光する受光素子を備えた第２片５９ｂとを備えたコ字状の光学式の検出センサであって、第１および第２片５９ａ,５９ｂ間の間隙がベース部材１５４の周端側に開口して、回転する検出片１７２ｂが通過し得るよう構成される(図４０参照)。
【００７１】
前記ベース部材１５４には、前記側部可動体用ＬＥＤ基板１０５に近接する位置にある第１片５９ａまたは第２片５９ｂが嵌合可能なセンサ嵌合溝１５４ｃが周端側に形成されると共に、該センサ嵌合溝１５４ｃを挟む両側にネジ孔が形成された固定ボス１５４ｄ,１５４ｄが後方に向けて突設されている。また側部原位置検出手段５９には、図３８に示す如く、ベース部材１５４から離間する位置にある第１片５９ａまたは第２片５９ｂを挟む両側に外側方に延出する一対のフランジ５９ｃ,５９ｃが形成されると共に、各フランジ５９ｃには前後に貫通する通孔５９ｄが形成されている。そして、側部原位置検出手段５９は、第１片５９ａまたは第２片５９ｂをセンサ嵌合溝１５４ｃに嵌合したもとで、各フランジ５９ｃの通孔５９ｄに挿通したネジを、対応する固定ボス１５４ｄのネジ孔に螺挿することでベース部材１５４にネジ止め固定される。なお、ベース部材１５４を前記円筒状設置部１５２に固定するための前記固定部１５８、位置決めピン１５９および前記固定ボス１５４ｄは、何れも前記位置検出片１７２の検出片１７２ｂの周回領域より内側(中心側)に位置して、該検出片１７２ｂの回転を阻害することがないようになっている。
【００７２】
前記円筒状設置部１５２には、前記可動機構部１２８を配設した状態で側部原位置検出手段５９と対応する位置に、前記ベース部材１５４から離間する位置にある第１片５９ａまたは第２片５９ｂを収容する切欠き凹部１５２ｅが形成されている。この切欠き凹部１５２ｅは、前記板面部１５２ａの挿通孔１５２ｄに連通しており、側部原位置検出手段５９から導出する側部検出用配線ＤＬ２は、該挿通孔１５２ｄを介して円筒状設置部１５２の内部空間１５２ｂに挿入されるよう構成される。なお、切欠き凹部１５２ｅは、側部原位置検出手段５９を円筒状設置部１５２の内部空間１５２ｂ側に引出し可能に構成されると共に、側部原位置検出手段５９を前記固定ボス１５４ｄに固定するネジは内部空間１５２ｂに臨むようになっており、該ネジを外すことで、円筒状設置部１５２に固定されているベース部材１５４から側部原位置検出手段５９を取外し得るよう構成されている。
【００７３】
前記ベース部材１５４には、図３８に示す如く、前記センサ嵌合溝１５４ｃの形成位置から周方向に離間した位置において、周端側および前後に開口する第１の切欠部１５４ｅが形成される。また前記側部可動体用ＬＥＤ基板１０５には、ベース部材１５４の第１の切欠部１５４ｅと前後に整列する第２の切欠部１０５ｅが形成されている。第１および第２の切欠部１５４ｅ,１０５ｅは、前記位置検出片１７２の検出片１７２ｂが挿通可能な寸法に設定されており、前記カバー部材５６を前記側部モータ５７に連結するベく出力軸を連結部１６７の固定孔１６７ａに挿通する際に、前記検出片１７２ｂが第１の切欠部１５４ｅおよび第２の切欠部１０５ｅを通ってベース部材１５４の裏側に位置するのを許容するよう構成される。
【００７４】
前記側部可動体用ＬＥＤ基板１０５の第２の切欠部１０５ｅは、図３８に示す如く、前記切欠き溝１０５ｄの周端側に一致して形成されて、側部可動体用ＬＥＤ基板１０５の形状が複雑化しないようにしてある。また、前記カバー部材５６を回転させて前記透明レンズ部材１６１および前記装飾フレーム体１６２の開口部１６４ａ,１６６ａを前記側部可動体用ＬＥＤ基板１０５の切欠き溝１０５ｄに臨ませて前記操作路を画成した際に、前記位置検出片１７２の検出片１７２ｂは、前記側部原位置検出手段５９で非検出となる位置、すなわち第１片５９ａと第２片５９ｂとの間に臨まないように設定されている。すなわち、操作路を介して出力軸を固定しているネジを取外した後、その位置で誤ってカバー部材５６をベース部材１５４から離間させた際に、検出片１７２ｂが側部原位置検出手段５９の第１片５９ａまたは第２片５９ｂに接触して両者が損傷するのを防止し得るようにしてある。
【００７５】
前記側部原位置検出手段５９で検出片１７２ｂを検出した原位置において、前記カバー部材５６の装飾フレーム体１６２における所定位置の連結片部１６５ｃは、前記側部可動体用ＬＥＤ基板１０５に実装されている対応する第２ＬＥＤ１５５ｂの前側に臨むよう設定されている。すなわち、カバー部材５６の原位置においては、複数の第２ＬＥＤ１５５ｂの内の所定個数は連結片部１６５ｃによって前側が覆われて、該原位置でカバー部材５６が停止している状態での第２ＬＥＤ１５５ｂの全体の発光量は、カバー部材５６が回転して全ての第２ＬＥＤ１５５ｂが連結片部１６５ｃで覆われなくなる時より低くなるよう構成してある。
【００７６】
（側部可動演出装置の配線処理構造について）
前記表カバー体４５の設置面部１３６ａが設けられる右側枠４５ｄの外端縁部には、前記裏ユニット４３における表カバー体４５と裏カバー体４６との間に画成される部品収容空間Ｓに連通する側部挿通部(挿通部)５８が、図１９および図２０に示す如く、前記円筒状設置部１５２と同じ数だけ上下に離間して設けられており、対応する円筒状設置部１５２に配設された可動機構部１２８の側部モータ５７から導出する側部駆動用配線ＰＬ２、側部可動体用ＬＥＤ基板１０５から導出する側部可動体発光用配線ＬＬ２および側部原位置検出手段５９から導出する側部検出用配線ＤＬ２が、側部挿通部５８を介して部品収容空間Ｓに通入されるようになっている。なお、各側部挿通部５８は、右側枠４５ｄの外端から内側に所定長さで切欠かれており、該側部挿通部５８に各配線ＰＬ２,ＬＬ２,ＤＬ２を挿通した状態で、該各配線ＰＬ２,ＬＬ２,ＤＬ２は右側枠４５ｄの外端から外方に突出しないよう構成される。
【００７７】
前記上側２つの側部挿通部５８は、対応する円筒状設置部１５２の楕円開口１５２ｃに対応して連通する位置に設けられている。これに対し、楕円開口１５２ｃが形成されていない最下位の円筒状設置部１５２に対応する側部挿通部５８は、前記ベース１５１の外側部に形成されて外側方および下方に開口するベース切欠部(切欠部)１５１ａに対応して連通する位置に設けられている(図２０参照)。前記楕円開口１５２ｃおよびベース切欠部１５１ａは、側部可動演出装置１２７を表カバー体４５に配設する際に、各可動機構部１２８から導出する側部駆動用配線ＰＬ２、側部可動体発光用配線ＬＬ２および側部検出用配線ＤＬ２を、前記ベース１５１の後端から前方に離間させて、該配線ＰＬ２,ＬＬ２,ＤＬ２が設置面部１３６ａとの間で挟まれるのを防止するべく機能する。
【００７８】
（上部発光装置について）
前記表カバー体４５の上枠４５ａにおける前壁１３６の前面には、前記上部モータ１５および上部原位置検出手段３３を挟む両側に、上部発光装置(第２の発光装置)４８が夫々配設されている。各上部発光装置４８は、図１５および図１６に示す如く、前壁１３６の前面に配設された上部ＬＥＤ基板(ＬＥＤ基板)９８と、該ＬＥＤ基板９８の前面に実装されて前方に光を照射する複数のＬＥＤ９８ｂとからなり、左右の上部ＬＥＤ基板９８,９８の全体は、前記装飾部材１４の前板４０で前側から覆われるようになっている(図１１,図１４参照)。すなわち、各上部発光装置４８のＬＥＤ９８ｂからの光は、光透過性を有する装飾部材１４に照射される。装飾部材１４は、前述したように光拡散処理が施されており、該装飾部材１４に照射された光は拡散されて前方を照明するよう構成され、この装飾部材１４が、前記上部可動体１３の支持手段として機能するだけでなく、上部発光装置４８,４８のランプカバーとしても機能している。
【００７９】
前記左側の上部発光装置４８の上部ＬＥＤ基板９８の裏面には、前記装飾部材１４の保護壁３８の後方に臨む位置に前記中継用コネクタソケット９８ｃ(図２９参照)が、接続口を下方に指向した状態で設けられ、該中継用コネクタソケット９８ｃに前記上部可動体発光用配線ＬＬ１が下側からコネクタ接続される。なお、中継用コネクタソケット９８ｃは、前記表カバー体４５における上枠４５ａの前壁１３６に形成した前記第２の挿通孔４７を介して前壁１３６裏側に臨んでいる。
【００８０】
前記各上部発光装置４８の上部ＬＥＤ基板９８の裏面には、図１７に示す如く、下端側にコネクタソケット９８ａが突設される。また表カバー体４５の上枠４５ａの前壁１３６には、各上部発光装置４８のコネクタソケット９８ａと対応する位置に第１のソケット用開口部１０４ａが形成されて、各コネクタソケット９８ａは対応する第１のソケット用開口部１０４ａを介して前壁１３６裏側に臨んでいる。すなわち、各コネクタソケット９８ａは、前記裏ユニット４３の部品収容空間Ｓに臨み、該コネクタソケット９８ａに接続される上部発光用配線ＬＬ３は部品収容空間Ｓに収容されるようになっている。
【００８１】
（隅部発光装置について）
前記表カバー体４５の前面右隅部に、図１４〜図１６に示す如く、隅部発光装置１３３が配設され、該隅部発光装置１３３は、前記装飾枠１２の窓口１２ａに臨むようになっている。この隅部発光装置１３３は、透明な合成樹脂製のランプカバー(別のランプカバー)１００と、該ランプカバー１００の裏側に配設された隅部ＬＥＤ基板(別のＬＥＤ基板)９９と、該ＬＥＤ基板９９の前面に実装されて前方に向けて光を照射する複数のＬＥＤ９９ｂとから構成され、ランプカバー１００が表カバー体４５の前壁１３６前面に着脱自在に取付けられる。
【００８２】
前記隅部発光装置１３３における隅部ＬＥＤ基板９９の裏面には、図１７に示す如くコネクタソケット９９ａが突設される。また表カバー体４５の前壁１３６には、隅部発光装置１３３のコネクタソケット９９ａと対応する位置に第２のソケット用開口部１０４ｂが形成されて、コネクタソケット９９ａは第２のソケット用開口部１０４ｂを介して前壁１３６裏側に臨んでいる。すなわち、コネクタソケット９９ａは、前記裏ユニット４３の部品収容空間Ｓに臨み、該コネクタソケット９９ａに接続される隅部発光用配線ＬＬ４は部品収容空間Ｓに収容されるようになっている。
【００８３】
前記ランプカバー１００には、図１４に示す如く、各ＬＥＤ９９ｂと対応する位置において前後方向に貫通する通孔１００ａが形成され、各ＬＥＤ９９ｂからの光はランプカバー１００で遮られることなく直接前方に照射されるよう構成される。前記装飾枠１２におけるランプカバー１００の前方に対応する位置に、前記窓口１２ａ内に延出する光透過性の装飾体１０１が設けられ、該装飾体１０１によってランプカバー１００が前側から覆われている(図３参照)。この装飾体１０１は、透明な合成樹脂製で、前記通孔１００ａを介して直接照射されるＬＥＤ９９ｂの光が略拡散されることなく強く輝くようになっている。
【００８４】
（下部発光装置について）
前記表カバー体４５の下枠４５ｂに、下部発光装置６３が配設される。この下部発光装置６３は、図１２〜図１４に示す如く、下枠４５ｂにおける前壁１３６の裏面に配設される下部ＬＥＤ基板(ＬＥＤ基板,電気部品)６３ａと、該ＬＥＤ基板６３ａの前壁１３６に対向する前面に実装されて前方に向けて光を照射する複数のＬＥＤ６３ｃとから構成され、該下部発光装置６３は前記部品収容空間Ｓに収容されている。前述したように下枠４５ｂには光拡散処理が施されており、下部発光装置６３のＬＥＤ６３ｃから前壁１３６に向けて照射された光は、該前壁１３６で拡散して広範囲を照明することができるようになっている。また裏ユニット４３を遊技盤１０の裏側に配設した状態で、下部発光装置６３は、前記装飾枠１２に配設されている光透過性の前記ステージ６５の後方に位置に、該ステージ６５を裏側から照明し得るよう構成される。
【００８５】
前記下部発光装置６３における下部ＬＥＤ基板６３ａの前面には、図１４に示す如く、前記側部可動演出装置１２７が配設される側とは反対側である右端部にコネクタソケット６３ｂが突設される。また表カバー体４５の前壁１３６には、下部発光装置６３における下部ＬＥＤ基板６３ａのコネクタソケット６３ｂと対応する位置に第３のソケット用開口部１０４ｃが形成されて、コネクタソケット６３ｂは第３のソケット用開口部１０４ｃを介して前壁１３６前側に臨んでいる。そして、コネクタソケット６３ｂに接続される下部発光用配線ＬＬ５は、後述する第２の中継基板５０に接続される(図４６参照)。
【００８６】
（側部発光装置について）
前記表カバー体４５の左側枠(他方の側枠)４５ｃに、側部発光装置６４が配設される。この側部発光装置６４は、図１４に示す如く、左側枠４５ｃにおける下部側の前壁１３６の裏面に配設される側部ＬＥＤ基板(第２のＬＥＤ基板,電気部品)６４ａと、該ＬＥＤ基板６４ａの前壁１３６に対向する前面に実装されて前方に向けて光を照射する複数のＬＥＤ６４ｃとから構成され、該側部発光装置６４は前記部品収容空間Ｓに収容されている。前述したように左側枠４５ｃにおける側部発光装置６４の配設領域には光拡散処理が施されており、側部発光装置６４のＬＥＤ６４ｃから前壁１３６に向けて照射された光は、該前壁１３６で拡散して広範囲を照明することができるようになっている。また裏ユニット４３を遊技盤１０の裏側に配設した状態で、側部発光装置６４は、前記装飾枠１２に配設されている光透過性の前記球誘導部６６の後方に位置に、該球誘導部６６を裏側から照明し得るよう構成される。なお、側部ＬＥＤ基板６４ａに実装される複数のＬＥＤ６４ｃは、球誘導部６６における球通路に沿って配置され、該球通路を流下するパチンコ球を好適に照明可能になっている。
【００８７】
前記側部発光装置６４における側部ＬＥＤ基板６４ａの前面には、図１４に示す如く、外側縁にコネクタソケット６４ｂが突設される。また表カバー体４５の前壁１３６には、側部発光装置６４における側部ＬＥＤ基板６４ａのコネクタソケット６４ｂと対応する位置に第４のソケット用開口部１０４ｄが形成されて、コネクタソケット６４ｂは第４のソケット用開口部１０４ｄを介して前壁１３６前側に臨んでいる。そして、コネクタソケット６４ｂに接続される側部発光用配線ＬＬ６は、後述する第２の中継基板５０に接続される(図４６参照)。
【００８８】
前記下部発光装置６３および側部発光装置６４が配設される表カバー体４５は、全体が透明に形成されていることから、各発光装置６３,６４の配設位置の表カバー体４５の前壁１３６自体が、ＬＥＤ６３ｃ,６４ｃからの光を前方に照射可能な光透過部として機能する。但し、表カバー体４５における下部発光装置６３および側部発光装置６４の配設部位に前後方向に貫通する光透過部としての開口部を設け、該開口部を介してＬＥＤ６３ｃ,６４ｃからの光を前方に照射させ得るようにし得ることは勿論である。
【００８９】
（縦発光装置について）
前記表カバー体４５の左側枠４５ｃには、前記側部発光装置６４の配設位置より上方で、前記装飾枠１２の左側枠部８８に設けた前記光透過性の壁部８９に対応する位置に、該壁部８９を挟んで窓口１２ａと反対側に臨む縦発光装置(発光装置)９０が配設されている(図４１参照)。縦発光装置９０は、図４２および図４３に示す如く、後方に開放する透明なケース体９１と、該ケース体９１に収容される縦ＬＥＤ基板(第１のＬＥＤ基板)９２とから基本的に構成され、該ＬＥＤ基板９２は、ケース体９１に収容した状態で、前記壁部８９の側面部８９ａ側に臨む表面に複数のＬＥＤ９２ａが、該壁部８９の側面部８９ａに向けて光を照射するように配設されている。
【００９０】
前記ケース体９１は、後方に開放する略矩形箱状に形成されると共に、前記壁部８９の側面部８９ａから離間する側の外側壁９３に、上下に離間して外側方に突出する一対の固定突部９３ａ,９３ａが設けられている。各固定突部９３ａには、後方に開放するネジ孔９３ｂが形成されており、前記表カバー体４５の前壁１３６に形成した通孔に裏側から挿通したネジをネジ孔９３ｂに螺挿することで、該ケース体９１は表カバー体４５に位置決め固定される。
【００９１】
前記ケース体９１の上壁９４および下壁９５には、前後方向の全長に亘って溝９４ａ,９５ａが形成されている。そして、上下の溝９４ａ,９５ａに縦ＬＥＤ基板９２の上下の端縁部を挿入することで、ケース体９１に収容した縦ＬＥＤ基板９２の左右方向の位置規制がなされる。なお、上下の溝９４ａ,９５ａは、前記外側壁９３側に偏倚しており、縦ＬＥＤ基板９２の表面に実装されているＬＥＤ９２ａが、ケース体９１における壁部８９の側面部８９ａ側に臨む内側壁１７４に接触しないよう構成される。またケース体９１に収容された縦ＬＥＤ基板９２は、該ケース体９１の前壁９６と表カバー体４５の前壁１３６とで挟持されて前後方向の位置規制がなされるようになっている。
【００９２】
前記ケース体９１の外側壁９３には、前記上下に離間する固定突部９３ａ,９３ａの間において後端から前側に向けて所定長さの開口部９３ｃが形成されている。また縦ＬＥＤ基板９２の裏面には、上下方向の略中央にコネクタソケット９２ｃが外側方に接続口を開口する状態で突設されており、縦ＬＥＤ基板９２をケース体９１に収容した状態で、コネクタソケット９２ｃが開口部９３ｃに臨んで、該コネクタソケット９２ｃに対する縦発光用配線ＬＬ７の接続を許容するよう構成される。縦ＬＥＤ基板９２の裏面には、ケース体９１の開口部９３ｃに臨む領域に、ＬＥＤ用の抵抗９２ｂが配設されており、該開口部９３ｃは抵抗９２ｂの放熱口としても機能するようになっている。
【００９３】
前記ケース体９１は、全体が透明に形成されるが、前記光透過性の壁部８９の前面部８９ｂの裏側に臨む前壁９６は不透明に形成されて、前面部８９ｂを介して前側(遊技者)から縦ＬＥＤ基板９２が視認し得ないようにしてある。なお、前壁９６にシボ加工等の、内部が透視し難くなる加工を施し、ＬＥＤ９２ａの消灯時には壁部８９の前面部８９ｂを介して縦ＬＥＤ基板９２を透かして見ることができないが、ＬＥＤ９２ａの点灯時にはＬＥＤ９２ａの光がおぼろに見ることができるようにしてもよい。
【００９４】
（裏ユニットの各中継基板について）
前記表カバー体４５の右側枠(左右方向の一方側)４５ｄにおいて、前記設置面部１３６ａに対して前壁１３６が前方に位置する上部裏側に、第１の中継基板(中継基板)４９が配設されている(図１７参照)。この第１の中継基板４９には、前記上部モータ１５から導出する上部駆動用配線(駆動用配線)ＰＬ１および上部原位置検出手段３３から導出する上部検出用配線(検出用配線)ＤＬ１が、夫々上枠部４３ａに沿って部品収容空間Ｓを引回されて夫々接続される。また第１の中継基板４９には、前記各側部モータ５７から導出して前記側部挿通部５８を介して裏ユニット４３の右側枠部４３ｄ側の部品収容空間Ｓに通入された側部駆動用配線ＰＬ２および各側部原位置検出手段５９から導出して同じく側部挿通部５８を介して右側枠部４３ｄ側の部品収容空間Ｓに通入された側部検出用配線ＤＬ２が、夫々右側枠部４３ｄに沿って部品収容空間Ｓを上方に引回されて夫々接続される(図４６参照)。なお、第１の中継基板４９は、前記側部可動演出装置１２７における最上部の側部モータ５７の配設位置より上方に位置している。
【００９５】
前記裏カバー体４６の前記左側枠４６ｃに形成した前記側部基板設置部１４０に、前述したように第２の中継基板５０が配設される(図２３参照)。この第２の中継基板５０には、上部可動体用発光装置４４から導出する上部可動体発光用配線(第１の発光用配線)ＬＬ１、前記各上部発光装置４８から導出する上部発光用配線(第２の発光用配線)ＬＬ３および前記各側部可動体用発光装置６２から導出する側部可動体発光用配線(第３の発光用配線)ＬＬ２の夫々が接続される。上部可動体発光用配線ＬＬ１は、実施例では一方の上部発光装置４８の上部ＬＥＤ基板９８に接続された後に、裏ユニット４３の上枠部４３ａに沿って部品収容空間Ｓを引回されて第２の中継基板５０に接続される。また各上部発光用配線ＬＬ３は、裏ユニット４３の上枠部４３ａに沿って部品収容空間Ｓを引回されて第２の中継基板５０に接続される(図４６参照)。更に、各側部可動体発光用配線ＬＬ２については、裏ユニット４３における右側枠部４３ｄおよび上枠部４３ａに沿って部品収容空間Ｓを引回されて第２の中継基板５０に接続される。なお、実施例では上部可動体発光用配線ＬＬ１を一旦上部ＬＥＤ基板９８で中継した後に第２の中継基板５０に接続するようにしているが、上部ＬＥＤ基板９８で中継することなく上部可動体発光用配線ＬＬ１を第２の中継基板５０に直接接続するようにしてもよい。
【００９６】
前記第２の中継基板５０には、前記隅部発光装置１３３、下部発光装置６３、側部発光装置６４および縦発光装置９０から導出する隅部発光用配線ＬＬ４、下部発光用配線ＬＬ５、側部発光用配線ＬＬ６および縦発光用配線ＬＬ７が夫々接続される(図４６参照)。なお、隅部発光用配線ＬＬ４は、裏ユニット４３の上枠部４３ａに沿って部品収容空間Ｓを引回されて第２の中継基板５０に接続されるのに対し、下部発光用配線ＬＬ５、側部発光用配線ＬＬ６および縦発光用配線ＬＬ７の夫々は、裏カバー体４６の前側を引回されて第２の中継基板５０に接続される。
【００９７】
前記裏カバー体４６における下部収容部６８の裏側に、前記サブ統括制御装置１３５に接続される集合用中継基板としての第３の中継基板５２が配設されている。この第３の中継基板５２には、図２４に示す如く、駆動制御系のコネクタソケット５２ａが、前記右側枠(一方の側枠部４３ｄ)４６ｄ側に設けられると共に、発光制御系のコネクタソケット５２ｂが、前記左側枠(他方の側枠部４３ｃ)４６ｃ側に設けられている。なお、発光制御系のコネクタソケット５２ｂは、上下に離間して２箇所に設けられる。
【００９８】
前記裏ユニット４３における前記表カバー体４５の右側枠４５ｄ側の下部に、図１７〜図１９に示す如く、部品収容空間Ｓから配線を外部に引出すための第１の引出口１０２が形成されると共に、表カバー体４５の左側枠４５ｃ側の上部に、部品収容空間Ｓから配線を外部に引出すための第２の引出口１０３が形成されている。また前記裏カバー体４６における下枠４６ｂには、前記下部収容部６８より左側(第２の中継基板５０の配設側)に偏った位置に、前後に貫通する第３の引出口１７５が形成されている(図２３参照)。
【００９９】
前記第１の中継基板４９には、当該第１の中継基板４９に接続された各駆動用配線ＰＬ１,ＰＬ２および検出用配線ＤＬ１,ＤＬ２に接続する駆動系用コネクタソケット(コネクタソケット)６０が、接続口を後方に指向して設けられている。この駆動系用コネクタソケット６０にコネクタプラグ６１(図１８参照)を介して接続する駆動制御系の第１の中継用配線ＲＬ１は、前記裏ユニット４３の右側枠部４３ｄに沿って部品収容空間Ｓを下側に引回され、前記第１の引出口１０２および前記裏引出口７７ｃを介して空間Ｓ外に引出された後に、前記第３の中継基板５２の駆動制御系のコネクタソケット５２ａに接続される(図４６参照)。
【０１００】
前記第２の中継基板５０には、当該第２の中継基板５０に接続された各発光用配線ＬＬ１〜ＬＬ７に接続する複数(実施例では２つ)の発光系用コネクタソケット１７６が、接続口を後方に指向して設けられている。各発光系用コネクタソケット１７６に接続する発光制御系の第２の中継用配線ＲＬ２は、前記裏ユニット４３(裏カバー体４６)の前側を左側枠部４３ｃおよび下枠部４３ｂに沿って引回され、前記第３の引出口１７５から裏側に引出された後に、前記第３の中継基板５２の発光制御系のコネクタソケット５２ｂに接続される(図４６参照)。
【０１０１】
（配線フックについて）
前記表カバー体４５の上枠４５ａの裏面には、図１７に示す如く、上縁側において各上部発光装置４８における上部ＬＥＤ基板９８の裏側に臨む位置に、第１の配線フック５１が夫々形成されている。この第１の配線フック５１には、前記上部モータ１５および上部原位置検出手段３３の上側を引回されて第１の中継基板４９または第２の中継基板５０に接続される各種配線ＰＬ１,ＤＬ１,ＬＬ２,ＬＬ３,ＬＬ４が係止される。また、表カバー体４５の右側枠４５ｄの裏面には、前記側部可動演出装置１２７の設置面部１３６ａの裏側において、前記各側部挿通部５８の上側に臨んで第２の配線フック５３が夫々形成されている。この第２の配線フック５３には、対応する側部挿通部５８を介して部品収容空間Ｓに引込まれて前記第１の中継基板４９に接続される側部駆動用配線ＰＬ２と側部検出用配線ＤＬ２および同じく側部挿通部５８を介して部品収容空間Ｓに引込まれて第２の中継基板５０に接続される側部可動体発光用配線ＬＬ２が係止される。また第１の中継基板４９から導出して下側に引回される前記駆動制御系の第１の中継用配線ＲＬ１も、該第２配線フック５３に係止されるようになっている。
【０１０２】
前記裏カバー体４６の左側枠４６ｃにおける前記面部１４２の裏面には、図２３に示す如く、上下方向に離間して複数の第３の配線フック５４が形成されている。この第３の配線フック５４には、前記第２の引出口１０３を介して前記部品収容空間Ｓから外部に引出されて第２の中継基板５０に接続される各種発光用配線ＬＬ１,ＬＬ２,ＬＬ３,ＬＬ４が係止される。また裏カバー体４６の左側枠４６ｃには、前記第２の中継基板５０が配設される側部基板設置部１４０より下方に第４の配線フック５５が形成される。そして、この第４の配線フック５５には、第２の中継基板５０から導出して前記第３の中継基板５２に接続される発光制御系の第２の中継用配線ＲＬ２が係止されるようになっている。なお、裏カバー体４６の下枠４６ｂの裏面には、前記第３の引出口１７５より左方に第５の配線フック１７７が形成され、該第５の配線フック１７７には、該第３の引出口１７５に挿通される直前の第２の中継用配線ＲＬ２が係止される。
【０１０３】
図１７〜図１９に示す如く、前記表カバー体４５には、前記第１の引出口１０２の直上に第６の配線フック１７８が形成され、第１の引出口１０２から外部に引出される直前の第１の中継用配線ＲＬ１が第６の配線フック１７８に係止されるようになっている。また表カバー体４５の右側枠４５ｄには、前記隅部発光装置１３３における隅部ＬＥＤ基板９９の裏側に臨む位置に、第７の配線フック１７９が形成されており、この第７の配線フック１７９には、前記側部可動体発光用配線ＬＬ２が係止される。更に、表カバー体４５の上枠４５ａには、前記第２の引出口１０３より右側に第８の配線フック１８０が形成され、第２の引出口１０３から外部に引出される直前の各種発光用配線ＬＬ１,ＬＬ２,ＬＬ３,ＬＬ４が第８の配線フック１８０に係止されるようになっている。
【０１０４】
前記裏カバー体４６の左側枠４６ｃにおける前記側部基板設置部１４０の裏面に、図２４に示す如く、上下に離間して複数の第９の配線フック１８１が形成されており、該第９の配線フック１８１には、前記球通過ゲート１２２の球検出スイッチから導出する配線が係止されるよう構成される。
【０１０５】
（下部基板設置部について）
前記裏カバー体４６の下枠４６ｂ裏側には、図５に示す如く、前記下部収容部６８を挟む両側に、第１の下部基板設置部１８２と第２の下部基板設置部(基板設置部)７０とが形成されている。左側に位置する第１の下部基板設置部１８２には、主制御装置１１９に接続するメイン中継基板１８３が着脱自在に配設される(図２４,図２６等参照)。このメイン中継基板１８３には、前記特別入賞装置１２１に入賞したパチンコ球を検出する球検出センサ、普通入賞口１２４に入賞したパチンコ球を検出する球検出センサ、球通過ゲート１２２を通過したパチンコ球を検出する球検出センサおよび前記普通図柄表示装置１２３から導出する各配線が接続される。また右側に位置する第２の下部基板設置部７０には、前記電源装置１１５、主制御装置１１９およびサブ統括制御装置１３５に接続する電源用中継基板(中継基板)６９が着脱自在に配設される(図２４,図２６等参照)。この電源用中継基板６９には、図示しない残数表示装置が接続されている。
【０１０６】
前記第２の下部基板設置部７０は、図４４および図４５に示す如く、前記裏カバー体４６の下枠４６ｂにおける鉛直な前壁面１８４から後方に突出する上支持片７１ａ、下支持片７１ｂおよび左右の側支持片７１ｃ７１ｄからなる矩形枠部７１を有する。上支持片７１ａは、他の３つの支持片７１ｂ,７１ｃ,７１ｄよりも後方に突出すると共に、該上支持片７１ａにおける左右方向の中央には、下側に向けて突出する規制片７２が設けられている。また下支持片７１ｂ側には、前記前壁面１８４から後方に突出すると共に上下方向に弾性変形可能な一対の係止フック７３,７３が、左右方向に離間して設けられている。各係止フック７３には、下支持片７１ｂの後端より電源用中継基板６９の厚み分だけ後方に離間する端部に、上側(前壁面側)に突出する係止爪７３ａが形成される。そして、電源用中継基板６９の前面を下支持片７１ｂおよび左側支持片(下部収容部６８側の側支持片)７１ｃの後端に当接した状態で、該電源用中継基板６９の裏面に規制片７２および各係止フック７３の係止爪７３ａが係合することで、第２の下部基板設置部７０に電源用中継基板６９が装着される。前記左右の側支持片７１ｃ,７１ｄの離間寸法は、電源用中継基板６９の左右の幅寸法より大きく設定され、当該第２の下部基板設置部７０には、右側支持片７１ｄの後端に前面を当接しない状態で電源用中継基板６９を装着し得るよう構成される。
【０１０７】
前記矩形枠部７１の内側に臨む前壁面１８４には、上支持片７１ａ側に偏倚した位置に、左右の側支持片７１ｃ,７１ｄ間に亘り、該側支持片７１ｃ,７１ｄの前壁面１８４からの突出寸法より小さい突出寸法で後方に突出する突条片１８５が設けられる。また突条片１８５の左右方向の略中央に、下支持片７１ｂおよび左側支持片７１ｃの後端と同一位置まで後方に向けて突出する突部７４が設けられている。そして、この突部７４は、前記電源用中継基板６９の前面を下支持片７１ｂおよび左側支持片７１ｃの後端に当接したときに、該電源用中継基板６９の前面に当接するようになっている。なお、第２の下部基板設置部７０に電源用中継基板６９を装着した状態で、電源用中継基板６９の上端は上支持片７１ａの下側(前壁面側)に臨み、該上支持片７１ａと前記係止フック７３,７３とによって電源用中継基板６９の上下方向の位置決めがなされるよう構成してある。
【０１０８】
前記矩形枠部７１における下部収容部６８側の下側(係止フック７３が設けられる支持片側)の隅部に位置決めピン７６が突設されている。また前記電源用中継基板６９には、位置決めピン７６が挿脱自在に嵌挿される位置決め孔６９ａが形成される。そして、電源用中継基板６９の位置決め孔６９ａに位置決めピン７６を嵌挿して該電源用中継基板６９を第２の下部基板設置部７０に装着した状態で、該電源用中継基板６９の右端は、矩形枠部７１における右側支持片７１ｄより左側に位置して該右側支持片７１ｄの後端に当接しないように設定してある。
【０１０９】
前記下部収容部６８における第２の下部基板設置部７０に臨む右側壁(側壁)６８ａには、該基板設置部７０から離間する側に凹む凹部６８ｂが、前後方向の全長に亘って設けられ、該凹部６８ｂを介して第２の下部基板設置部７０の側方に手指を差込み得るよう構成してある。
【０１１０】
前記裏カバー体４６の下枠４６ｂには、左端部に、前記主制御装置１１９の左端部に設けた被係合部(図示せず)が係脱自在に係合する係合部１８６が形成されると共に、右端部に、主制御装置１１９の右端部に設けた被装着部１１９ａ(図２参照)および被取付部(図示せず)が着脱自在に係合される装着部１８７および取付部７５が形成されている。そして、主制御装置１１９の被係合部、被装着部１１９ａおよび被取付部を、夫々裏カバー体４６の対応する係合部１８６、装着部１８７および取付部７５に係合したもとで、被装着部を固定具によって装着部１８７に固定することで、裏カバー体４６の裏側に主制御装置１１９が取付けられる。そして、主制御装置１１９を裏カバー体４６に取付けるために用いられる取付部７５に、前記一方の係止フック７３が一体に形成されて、該係止フック７３の強度を確保するよう構成してある。
【０１１１】
（遊技盤と裏ユニットとの組付け構造について）
前記遊技盤１０に配設されて前記複数の普通入賞口１２４が形成される遊技部品８２に、図７に示す如く、盤後方に突出する第２位置決めボス８２ａが設けられている。また、前記装飾枠１２には、盤後方に突出する複数の第３位置決めボス８３および第４位置決めボス８４が設けられている。第３位置決めボス８３は、具体的には装飾枠１２の左側枠部８８に設けられる合成樹脂製の前記球誘導部６６と、該装飾枠１２における右側枠部１３０の上部との２箇所に設けられる。また第４位置決めボス８４は、装飾枠１２における前記特別入賞装置１２１の右側に臨む前記延出部１２ｂで、前記普通入賞口１２４が設けられる部位に近接した位置に設けられている。
【０１１２】
前記表カバー体４５には、前記各第３位置決めボス８３と対応する位置に、該第３位置決めボス８３が嵌挿可能な第２通孔８５が夫々形成されている(図１４〜図１６等参照)。第２通孔８５は、具体的には表カバー体４５の左側枠４５ｃと、該表カバー体４５の右上隅に配設される前記隅部発光装置１３３のランプカバー１００とに形成されている。そして、各第２通孔８５に対応する第３位置決めボス８３を嵌挿することで、裏ユニット４３における表カバー体４５と装飾枠１２とが位置決めされるようになっている。
【０１１３】
また、前記裏カバー体４６に、前記第２位置決めボス８２ａおよび第４位置決めボス８４と対応する位置に、該第２位置決めボス８２ａおよび第４位置決めボス８４が嵌挿可能な第３通孔８６が夫々形成されている。第３通孔８６は、図２３,図２５等に示す如く、具体的には裏カバー体４６の下枠４６ｂにおける前記樋部１２６,１２６の形成位置に近接する位置に形成されている。そして、各第３通孔８６に対応する第２位置決めボス８２ａおよび第４位置決めボス８４を嵌挿することで、裏ユニット４３における裏カバー体４６と装飾枠１２および遊技盤１０とが位置決めされるよう構成してある。
【０１１４】
前記裏カバー体４６の外周縁には、表カバー体４５を組付けた状態で遊技盤１０の裏面に当接可能な複数のフランジ８７が形成されており、各フランジ８７には前後に貫通する挿通孔８７ａが形成されている。すなわち、表カバー体４５の第２通孔８５に第３位置決めボス８３を嵌挿すると共に、裏カバー体４６の第３通孔８６に第２位置決めボス８２ａおよび第４位置決めボス８４を嵌挿したもとで、裏カバー体４６のフランジ８７を遊技盤１０の裏面に当接し、各挿通孔８７ａに裏側から挿通したネジを遊技盤１０に螺挿することで、裏ユニット４３が遊技盤１０に対して位置決め固定されるようになっている。
【０１１５】
〔実施例の作用〕
次に、前述した実施例に係るパチンコ機の作用につき説明する。
【０１１６】
（表カバー体に対する各種部品の組付けについて）
前記表カバー体４５について、図１５および図１６等に示す如く、前記上枠４５ａの前面に２つの上部発光装置４８,４８を配設したもとで、前該上枠４５ａに装飾部材１４および上部可動演出装置１３４を配設する。また、表カバー体４５における右側枠４５ｄの設置面部１３６ａに側部可動演出装置１２７を配設する。更に、表カバー体４５の右上隅の前面に隅部発光装置１３３を配設すると共に、下枠４５ｂの裏側に下部発光装置６３を配設し、更に左側枠４５ｃには、裏側に側部発光装置６４を配設すると共に前側に縦発光装置９０を配設する。また、表カバー体４５の右側枠４５ｄにおける上部裏側に、前記第１の中継基板４９を配設する。
【０１１７】
前記上部可動演出装置１３４を構成する上部可動体１３に配設された上部可動体用発光装置４４の上部可動体用ＬＥＤ基板１８に接続する上部可動体発光用配線ＬＬ１を、左側に位置する上部発光装置４８の上部ＬＥＤ基板９８の中継用コネクタソケット９８ｃに接続する。また、表カバー体４５の上枠４５ａ裏側に配設された上部モータ１５から導出する上部駆動用配線ＰＬ１は、前記第１の配線フック５１に係止して上枠４５ａに沿って右側に引回して前記第１の中継基板４９に接続する。更に、表カバー体４５の上枠４５ａ裏側に配設された上部原位置検出手段３３から導出する上部検出用配線ＤＬ１についても、前記第１の配線フック５１に係止して上枠４５ａに沿って右側に引回して前記第１の中継基板４９に接続する。
【０１１８】
前述したように上部可動演出装置１３４から延出する上部駆動用配線ＰＬ１および上部検出用配線ＤＬ１は、上枠４５ａの上端側に設けた第１の配線フック５１で係止されるから、該配線ＰＬ１,ＤＬ１が前記開口４５ｅ側に垂れ下がるのを防止し、裏カバー体４６との組付け時に配線噛みが発生するのを抑制し得ると共に、各配線ＰＬ１,ＤＬ１が裏カバー体４６の組付けの邪魔となるのを防止し得る。また、第１の配線フック５１は、上部発光装置４８における上部ＬＥＤ基板９８の裏側に位置しているから、該配線フック５１が前側から視認されることはなく、見栄えが低下することはない。
【０１１９】
前記側部可動演出装置１２７の各可動機構部１２８の側部モータ５７から導出する側部駆動用配線ＰＬ２および側部原位置検出手段５９から導出する側部検出用配線ＤＬ２を、前記表カバー体４５の右側枠４５ｄに形成した側部挿通部５８を介して裏側に引込む。そして、側部可動演出装置１２７における最上位の可動機構部１２８から導出する２つの配線ＰＬ２,ＤＬ２は、対応する最上位の側部挿通部５８から裏側に引込まれた後に、最上位の前記第２の配線フック５３に係止されて右側枠４５ｄに沿って上側に引回されて、前記第１の中継基板４９に接続される。また中位の可動機構部１２８から導出する２つの配線ＰＬ２,ＤＬ２は、対応する中位の側部挿通部５８から裏側に引込まれた後に、中位および最上位の２つの第２の配線フック５３,５３に係止されて右側枠４５ｄに沿って上側に引回されて、前記第１の中継基板４９に接続される。更に、最下位の可動機構部１２８から導出する２つの配線ＰＬ２,ＤＬ２は、対応する側部挿通部５８から裏側に引込まれた後に、最下位、中位および最上位の３つの第２の配線フック５３,５３,５３に係止されて右側枠４５ｄに沿って上側に引回されて、前記第１の中継基板４９に接続される。
【０１２０】
すなわち、各側部挿通部５８から表カバー体４５の裏側に引込まれた各配線ＰＬ２,ＤＬ２は、該側部挿通部５８に近接位置する第２の配線フック５３で係止されるから、該配線ＰＬ２,ＤＬ２が容易に移動することはなく、裏カバー体４６との組付けに際して配線噛みが発生するのを防止し得る。しかも、各側部挿通部５８は、表カバー体４５の右側枠４５ｄの外端から内側に凹んでいるから(図１７参照)、該側部挿通部５８に挿通されている配線ＰＬ２,ＤＬ２が右側枠４５ｄから外方に突出することはなく、裏カバー体４６との組付けに際して該配線ＰＬ２,ＤＬ２が邪魔となることはない。
【０１２１】
前記第１の中継基板４９に設けられた駆動系用コネクタソケット６０にコネクタプラグ６１を介して接続された第１の中継用配線ＲＬ１を、前記右側枠４５ｄに沿って第２のフック５３に係止しつつ下側に引回し、前記第１の引出口１０２から外部に通出する。なお、第１の引出口１０２から通出する直前の第１の中継用配線ＲＬ１は、前記第６の配線フック１７８に係止する。
【０１２２】
前記第１の中継基板４９は、上部可動演出装置１３４の配設位置と、側部可動演出装置１２７の配設位置との間に配置されているから、各演出装置１３４,１２７から導出する各駆動用配線ＰＬ１,ＰＬ２および各検出用配線ＤＬ１,ＤＬ２を長い距離引回す必要はなく、配線の処理作業が容易となる。しかも、第１の中継基板４９から導出する第１の中継用配線ＲＬ１は、複数の駆動用配線ＰＬ１,ＰＬ２および検出用配線ＤＬ１,ＤＬ２を纏めたものであるから、該第１の中継用配線ＲＬ１を引回す作業は容易であり、複数の配線を個々に引回す場合に比して配線処理が簡単となる。また前記第１の配線フック５１は、上部駆動用配線ＰＬ１および上部検出用配線ＤＬ１を纏めて係止するよう構成され、また前記第２の配線フック５３は、側部駆動用配線ＰＬ２、側部検出用配線ＤＬ２および第１の中継用配線ＲＬ１を纏めて係止するよう構成されているから、各配線毎に配線フックを設ける必要はなく、配線フックの形成数を少なく抑えて製造コストを低廉にし得る。
【０１２３】
前記表カバー体４５の右側枠４５ｄにおける第１の中継基板４９の配設部位は、図１８および図１９等に示す如く、前記設置面部１３６ａより前側に位置するように段差が設けられている。従って、処理する配線数が多くなることで大型化する第１の中継用配線ＲＬ１のコネクタプラグ６１を第１の中継基板４９の駆動系用コネクタソケット６０に接続した際の、該コネクタプラグ６１や第１の中継用配線ＲＬ１の後方への突出量を抑えることができ、裏カバー体４６に組付ける際に該裏カバー体４６に干渉するのを防止し得る。
【０１２４】
前記表カバー体４５の右上隅に配設された隅部発光装置１３３の隅部ＬＥＤ基板９９に設けられて前記第２のソケット用開口部１０４ｂを介して表カバー体４５の裏側に臨むコネクタソケット９９ａに接続する隅部発光用配線ＬＬ４は、前記上部モータ１５の右側に位置する前記第１の配線フック５１に係止した後に、該上部モータ１５の上側および上部原位置検出手段３３を固定しているセンサ固定部品１４８の裏側を引回し、上部モータ１５の左側に位置する前記第１の配線フック５１に係止した後に、更に第８の配線フック１８０に係止して前記第２の引出口１０３を介して外部に通出する。また、右側に位置する前記上部発光装置４８の上部ＬＥＤ基板９８に設けられて前記第１のソケット用開口部１０４ａを介して表カバー体４５の裏側に臨むコネクタソケット９８ａに接続する上部発光用配線ＬＬ３は、前記上部モータ１５の上側および上部原位置検出手段３３を固定しているセンサ固定部品１４８の裏側上部を引回した後に、左側に位置する前記第１の配線フック５１に係止し、更に第８の配線フック１８０に係止して前記第２の引出口１０３を介して外部に通出する。更に、左側に位置する前記上部発光装置４８の上部ＬＥＤ基板９８に設けられて前記第１のソケット用開口部１０４ａを介して表カバー体４５の裏側に臨むコネクタソケット９８ａに接続する上部発光用配線ＬＬ３については、前記第８の配線フック１８０に係止した後に前記第２の引出口１０３を介して外部に通出する。
【０１２５】
前記側部可動演出装置１２７の各可動機構部１２８における側部可動体発光装置６２の側部可動体用ＬＥＤ基板１０５から導出する側部可動体発光用配線ＬＬ２を、前記表カバー体４５の右側枠４５ｄに形成した側部挿通部５８を介して裏側に引込む。そして、側部可動演出装置１２７における最上位の可動機構部１２８から導出する側部可動体発光用配線ＬＬ２は、対応する最上位の側部挿通部５８から裏側に引込まれた後に、最上位の前記第２の配線フック５３に係止されて右側枠４５ｄに沿って上側に引回される。また、中位および最下位の各可動機構部１２８の側部可動体発光用配線ＬＬ２については、前記側部駆動用配線ＰＬ２と同様に、対応する側部挿通部５８から表カバー体４５の裏側に引込まれた後は、上側に位置する各第２の配線フック５３に係止されつつ上側に引回される。そして、３つの側部可動体発光用配線ＬＬ２は、前記第７の配線フック１７９および右側の第１の配線フック５１に係止された後、上部モータ１５の上側および上部原位置検出手段３３を固定しているセンサ固定部品１４８の裏側上部を引回され、左側の第１の配線フック５１および第８の配線フック１８０に係止して第２の引出口１０３から外部に通出する。
【０１２６】
前記第１の配線フック５１および第２の配線フック５３は、前述したように各種駆動用配線ＰＬ１,ＰＬ２や検出用配線ＤＬ１,ＤＬ２を係止するのみでなく、各種発光用配線ＬＬ１,ＬＬ２,ＬＬ３,ＬＬ４を係止するフックとしても機能するよう構成してあるから、発光用配線用の配線フックを別途形成する必要はなく、配線フックの形成数を少なく抑えて製造コストを更に低廉にし得る。また、前記表カバー体４５の上枠４５ａに沿って引回される発光用配線ＬＬ１,ＬＬ２,ＬＬ３,ＬＬ４についても、上縁側に設けられる第１の配線フック５１に係止されると共に上部モータ１５の上側および上部原位置検出手段３３を固定しているセンサ固定部品１４８の裏側上部を引回されるよう構成したから、該発光用配線ＬＬ１,ＬＬ２,ＬＬ３,ＬＬ４が前記開口４５ｅ側に垂れ下がるのを防止し、裏カバー体４６との組付け時に配線噛みが発生するのを抑制し得ると共に、各発光用配線ＬＬ１,ＬＬ２,ＬＬ３,ＬＬ４が裏カバー体４６の組付けの邪魔となるのを防止し得る。なお、表カバー体４５の右上隅における側部可動体発光用配線ＬＬ２を係止する第７の配線フック１７９は、図１７に示す如く、前記隅部発光装置１３３における隅部ＬＥＤ基板９９の裏側に位置しているから、該配線フック１７９が前側から視認されることはなく、見栄えが低下することはない。
【０１２７】
前述したように前記表カバー体４５に配設される各可動演出装置１３４,１２７の駆動に関連する駆動用配線ＰＬ１,ＰＬ２および検出用配線ＤＬ１,ＤＬ２と、各発光装置４４,６２,４８,１３３に接続する発光用配線ＬＬ１,ＬＬ２,ＬＬ３,ＬＬ４とを区分して引回し、駆動用配線ＰＬ１,ＰＬ２および検出用配線ＤＬ１,ＤＬ２については表カバー体４５に配設されている第１の中継基板４９に接続し、発光用配線ＬＬ１,ＬＬ２,ＬＬ３,ＬＬ４については裏カバー体４６に配設した第２の中継基板５０に接続するよう構成した。従って、複数の配線が集中して接続作業が煩雑となるのを抑制し得ると共に、各中継基板４９,５０を小型化して設置スペースを小さくすることができる。しかも、駆動系統と発光系統とを分けることにより、何れかの系統で不具合が発生した場合の処理が容易となる。
【０１２８】
（表カバー体に対する側部可動演出装置の組付けについて）
前記表カバー体４５の右側枠４５ｄの設置面部１３６ａに側部可動演出装置１２７を組付ける際には、前記最上位および中位の２つの各可動機構部１２８については、該可動機構部１２８から導出する３つの配線ＰＬ２,ＤＬ２,ＬＬ２を、前記円筒状設置部１５２の楕円開口１５２ｃを介して前記ベース１５１から離間する側に保持して、該配線ＰＬ２,ＤＬ２,ＬＬ２をベース１５１の後端から後方に延出しないようにする。また最下位の可動機構部１２８については、該可動機構部１２８から導出する３つの配線ＰＬ２,ＤＬ２,ＬＬ２を、前記ベース１５１に形成したベース切欠部１５１ａを介してベース１５１の後端から離間する側に保持して、該配線ＰＬ２,ＤＬ２,ＬＬ２をベース１５１の後端から後方に延出しないようにする。この状態で、前記ベース１５１を設置面部１３６ａに位置決めしてネジ止めすることにより、側部可動演出装置１２７が表カバー体４５に組付けられる。
【０１２９】
そして、前記側部可動演出装置１２７の組付け後に、各可動機構部１２８から導出する配線ＰＬ２,ＤＬ２,ＬＬ２を、対応する側部挿通部５８を介して表カバー体４５の裏側に通出した後に、前述したように各配線フック５１,５３,１７９,１８０に係止する。
【０１３０】
前述したように側部可動演出装置１２７の台座部材１３１に、楕円開口１５２ｃおよびベース切欠部１５１ａを形成してあるから、該側部可動演出装置１２７の組付けに際し、各配線ＰＬ２,ＤＬ２,ＬＬ２が表カバー体４５との間に挟まれるのを抑制し得る。
【０１３１】
（表カバー体と裏カバー体との組付けについて）
前述したように複数の可動演出装置１３４,１２７および複数の発光装置４４,４８,６２,６３,６４,９０,１３３を配設した表カバー体４５を、裏カバー体４６の上部収容部７７に対し、下端の左右両側に形成された位置決め用切欠部８０,８０を裏カバー体４６の対応する位置決め段部７９,７９に係合するようにして収容空間に収容する。このときに、裏カバー体４６に設けた第１位置決めボス７８が、表カバー体４５に設けた対応する各第１通孔８１に嵌合して両者４５,４６が位置決めされる。表カバー体４５の裏側を引回される各配線ＰＬ１,ＰＬ２,ＤＬ１,ＤＬ２,ＲＬ１,ＬＬ１〜ＬＬ４は、各配線フック５１,５３,１７８,１７９,１８０により係止されて前記開口４５ｅ側あるいは外方に突出しないよう構成してあるから、表カバー体４５と裏カバー体４６との組付けに際し配線噛みが発生したり、該配線が組付けの邪魔となることはなく、組付け作業は簡単に行ない得る。また、表カバー体４５の第２の引出口１０３から外方に引出されている各種発光用配線ＬＬ１〜ＬＬ４は、該表カバー体４５の前側に延出しているから、裏カバー体４６との間に噛み込まれることはない。なお、表カバー体４５の第１の引出口１０２から外方に引出されている第１の中継用配線ＲＬ１については、該表カバー体４５を裏カバー体４６に組付けるのに先立って、該裏カバー体４６の前記裏引出口７７ｃを介して下枠４６ｂの裏側に通出される。
【０１３２】
そして、前記各第１通孔８１に前側から挿通したネジを第１位置決めボス７８に形成したネジ孔に螺挿することで、裏カバー体４６と表カバー体４５とが固定されて、両中央に開口部４３ｅが画成された裏ユニット４３が構成される(図７および図９参照)。この状態で、両カバー体４５,４６の間には、開口部４３ｅの外周囲に部品収容空間Ｓが画成され、該空間Ｓに、表カバー体４５に配設されている前記上部モータ１５、上部原位置検出手段３３、下部発光装置６３、側部発光装置６４および第１の中継基板４９が収容される。また、表カバー体４５の裏面に引回されている各種配線ＰＬ１,ＰＬ２,ＤＬ１,ＤＬ２,ＬＬ１〜ＬＬ４も部品収容空間Ｓに収容される。すなわち、裏ユニット４３を単体で取扱う際に、前記上部モータ１５、上部原位置検出手段３３および各種配線ＰＬ１,ＰＬ２,ＤＬ１,ＤＬ２,ＬＬ１〜ＬＬ４を保護し得る。
【０１３３】
（裏カバー体での配線処理について）
前記裏カバー体４６に表カバー体４５を組付けた状態で、前記裏引出口７７ｃから下枠４６ｂの裏側に引出されている前記第１の中継用配線ＲＬ１は、裏カバー体４６の下部収容部６８の裏面に装着されている第３の中継基板５２の駆動制御系のコネクタソケット５２ａに接続される。また前記第２の引出口１０３から外部に引出されている前記各種発光用配線ＬＬ１〜ＬＬ４は、前記裏カバー体４６における左側枠４６ｃの前記面部１４２に形成されている第３の配線フック５４に係止されて前記第２の中継基板５０に接続される。更に、表カバー体４５に配設されている前記下部発光装置６３、側部発光装置６４および縦発光装置９０に接続する各発光用配線ＬＬ５〜ＬＬ７は、前記第２の中継基板５０に接続される。そして、第２の中継基板５０に接続される第２の中継用配線ＲＬ２は、裏カバー体４６に形成されている第４および第５の配線フック５５,１７７に係止された後に、前記第３の引出口１７５を介して裏側に通出されて、前記第３の中継基板５２の発光制御系のコネクタソケット５２ｂに接続される。すなわち、前記表カバー体４５に配設された可動演出装置１３４,１２７や各種発光装置４４,４８,６２,６３,６４,９０,１３３から導出する配線ＰＬ１,ＰＬ２,ＤＬ１,ＤＬ２,ＬＬ１〜ＬＬ７は、最終的には裏カバー体４６に配設した第３の中継基板５２に中継用配線ＲＬ１,ＲＬ２を介して接続してあるから、可動演出装置１３４,１２７、発光装置４４,４８,６２,６３,６４,９０,１３３および配線ＰＬ１,ＰＬ２,ＤＬ１,ＤＬ２,ＬＬ１〜ＬＬ７,ＲＬ１,ＲＬ２を含めて裏ユニット単位で扱うことができる。また各配線ＰＬ１,ＰＬ２,ＤＬ１,ＤＬ２,ＬＬ１〜ＬＬ７,ＲＬ１,ＲＬ２に関しては、前記部品収容空間Ｓに収容されると共に、各種配線フック５１,５３,５４,５５,１７７,１７９,１８０で係止して裏ユニット４３の外方に延出しないよう構成してあるから、後述する遊技盤１０との組付けに際して配線ＰＬ１,ＰＬ２,ＤＬ１,ＤＬ２,ＬＬ１〜ＬＬ７,ＲＬ１,ＲＬ２が邪魔となったり遊技盤１０との間に挟み込むのは防止される。
【０１３４】
前記第２の中継基板５０には、発光用のコネクタソケット１７６を２つ設け、該第２の中継基板５０に接続される発光用配線ＬＬ１〜ＬＬ７を２つに分割して第３の中継基板５２に接続している。これにより、各コネクタソケット１７６を小型化して第２の中継基板５０からの突出量を抑えることができる。すなわち、パチンコ機では、前述したように第２の中継基板５０が配設される側部基板設置部１４０の後方に、前記球通路ユニット１１３が臨む構成であるから、コネクタソケット１７６の突出量を抑えることで、側部基板設置部１４０をより前側に位置するよう設計することができる。従って、球通路ユニット１１３についてもより前側に配置することが可能となり、遊技盤１０の裏側に配設される部品の後方への突出寸法を抑えて、島設備との干渉を抑制し得る。
【０１３５】
前記第３の中継基板５２に設けられる駆動制御系のコネクタソケット５２ａおよび発光制御系のコネクタソケット５２ｂは、図２４に示す如く、対応する中継用配線ＲＬ１,ＲＬ２が引回される側枠部側に設けてあるから、中継用配線ＲＬ１,ＲＬ２の誤接続を抑制することができる。また、裏カバー体４６(表カバー体４５)の左側を引回されてくる配線と右側を引回されてくる配線とを交差して第３の中継基板５２に接続するものではないから、該第３の中継基板５２上で配線がゴチャツクことがなく、配線同士が絡まるのも防止し得る。なお、前記下部発光装置６３、側部発光装置６４および縦発光装置９０の各ＬＥＤ基板６３ａ,６４ａ,９２に設けられているコネクタソケット６３ｂ,６４ｂ,９２ｃは、表カバー体４５を裏カバー体４６に組付けたときに、前記第２の中継基板５０に近接する左側に位置しているから、該コネクタソケット６３ｂ,６４ｂ,９２ｃと第２の中継基板５０とを接続する各発光用配線ＬＬ５〜ＬＬ７の長さは短かく、当該発光用配線ＬＬ５〜ＬＬ７が裏ユニット４３外にはみ出すのは防止できる。
【０１３６】
（遊技盤と裏ユニットとの組付けについて）
前記裏ユニット４３を遊技盤１０の裏面に組付ける際には、前記表カバー体４５に配設した隅部発光装置１３３のランプカバー１００および左側枠４５ｃに形成した第２通孔８５,８５に、遊技盤１０に配設した球誘導部６６および装飾枠１２に設けた第３位置決めボス８３,８３を嵌挿すると共に、裏カバー体４６の下枠４６ｂに形成された第３通孔８６,８６に、遊技盤１０に配設した遊技部品８２および装飾枠１２の延出部１２ｂに設けた第２位置決めボス８２ａおよび第４位置決めボス８４を嵌挿することで、裏ユニット４３は、遊技盤１０に対して位置決めされる。そして、裏カバー体４６の遊技盤１０裏面に当接するフランジ８７の各挿通孔８７ａに裏側から挿通したネジを遊技盤１０に螺挿することで、裏ユニット４３が遊技盤１０に対して固定される。
【０１３７】
前記裏ユニット４３は、遊技盤１０に配設されている合成樹脂製の遊技部品８２や装飾枠１２に対し、位置決めボス８２ａ,８３,８４と通孔８５,８６を介して位置決めするものであるから、表カバー体４５に配設されている各可動演出装置１３４,１２７および各発光装置４４,４８,６２,６３,６４,９０,１３３を、装飾枠１２や遊技部品８２に対して正しい位置に位置決めすることができる。すなわち、上部可動演出装置１３４の上部可動体１３および側部可動演出装置１２７の各可動機構部１２８におけるカバー部材５６を、装飾枠１２の窓口１２ａにおける対応する位置に正確に臨ませることができる。また、前記隅部発光装置１３３、下部発光装置６３、側部発光装置６４および縦発光装置９０の夫々を、対応する装飾体１０１、ステージ６５、球誘導部６６および壁部８９に対して正しい位置に臨ませ、当該部材１０１,６５,６６,８９を好適に照明し得る。
【０１３８】
前記遊技盤１０側の第２位置決めボス８２ａおよび第４位置決めボス８４は、遊技盤１０に配設される前記始動入賞装置６７を挟む両側において前記普通入賞口１２４に近接して設けられ、かつ裏ユニット４３側の第３通孔８６が下枠４６ｂの樋部１２６に近接して設けられるから、裏ユニット４３の下部収容部６８を始動入賞装置６７に対して正確に位置決めし得ると共に、各樋部１２６を対応する普通入賞口１２４に対して正確に位置決めすることができる。
【０１３９】
実施例では、前記裏ユニット４３の表カバー体４５に、複数の可動演出装置１３４,１２７および発光装置４４,４８,６２,６３,６４,９０,１３３を配設してあるから、装飾枠１２の窓口１２ａを小さくすることなく複数の可動演出装置１３４,１２７や複数の発光装置４４,４８,６２,６３,６４,９０,１３３を遊技盤１０に配設することができ、インパクトのある演出を行なうことが可能となり、演出効果を向上し得る。すなわち、大型の図柄表示装置１１を採用したもとで、複数の可動演出装置１３４,１２７および発光装置４４,４８,６２,６３,６４,９０,１３３により異なる態様で演出が可能であり、遊技の興趣を高めることができる。また発光装置として、広範囲を照明可能な大型のものを採用することも可能となり、発光による演出効果の更なる向上を図り得る。
【０１４０】
更に、前記裏ユニット４３には、窓口１２ａの上部側に上部可動演出装置１３４および上部発光装置４８,４８が配設され、窓口１２ａの下部側に下部発光装置６３が配設され、窓口１２ａの左部側に側部発光装置６４と縦発光装置９０が配設され、窓口１２ａの右部側に側部可動演出装置１２７(側部可動体用発光装置６２)が配設され、更に窓口１２ａの右上隅側に隅部発光装置１３３が配設される。このように、前記図柄表示装置１１の表示部が臨む窓口１２ａの周囲において、分散して可動演出装置１３４,１２７および発光装置４４,４８,６２,６３,６４,９０,１３３を配設してあるから、表示部で行なわれる図柄変動ゲームと関連させて、興趣を向上する効果的な演出が可能となる。
【０１４１】
ここで、前記裏ユニット４３に配設される複数の可動演出装置１３４,１２７は、遊技盤１０側に配設される部品を作動させるものではないから、裏ユニット４３を遊技盤１０の裏側に配設する際に、部品同士を連繋するように精密な位置決めを行なう必要はなく、組付け作業は簡単である。
【０１４２】
（上部可動演出装置について）
前記裏ユニット４３に配設される上部可動演出装置１３４は、前記装飾部材１４の前側に配設されている上部可動体１３が、上部モータ１５の正逆回転により上下に往復移動する。前記装飾部材１４の長孔１４ａに摺動自在に挿入されている摺動部材２７に対し、上部可動体１３の固定部２６は遊嵌されているから(図３１参照)、摺動部材２７に対して上部可動体１３は長孔１４ａに規制されることなく左右方向にも変移可能となっている。従って、上部モータ１５の正逆回転により上部可動体１３が上下に移動するときに、該上部可動体１３は長孔１４ａの延在方向に単に真っ直ぐに移動するのみでなく、これと交差する方向にも移動可能であり、前記ラック２８に噛合するピニオン２９から加わる力の方向が変化するのに伴い上部可動体１３が複雑な動作を行ない、演出効果を高めることができる。しかも、固定部２６に対して摺動部材２７を遊嵌しただけの簡単な構成で、別の機構や駆動手段等を用いるものではないから、製造コストを低廉に抑制し得る。また、上部可動体１３には複数の可動装飾部品３２が自由揺動自在に吊り下げられているから、該可動装飾部品３２は、上部可動体１３の動きによって自由に動き、遊技の興趣を増大させることができる。
【０１４３】
前記摺動部材２７の円筒部３０,３０は、装飾部材１４の長孔１４ａに対して線接触するだけであるので、長孔１４ａ内面と摺動部材２７との接触抵抗は小さく、該摺動部材２７は円滑に動くことができる。すなわち、上部モータ１５に大きな負荷が加わることはなく、上部可動体１３のスムーズな上下動は確保される。また、前記上部可動体１３の固定部２６をラック２８の上端側に固定するのに対し、上部可動体１３の第１位置においてラック２８に対してピニオン２９を固定部２６より下方に離間した位置で噛合するよう構成してある。すなわち、上部可動体１３の第１位置においてピニオン２９の噛合位置より上方に長くラック２８が延在しているから、該ピニオン２９の回転により上部可動体１３が下方(第２位置)に向けて移動し得る距離を長くすることができる。従って、前記装飾枠１２の窓口１２ａにおいて、上部可動体１３を下方に大きく延出させることができ、遊技の興趣を向上し得る。しかも、ラック２８は上部可動体１３における筒状部２５の外周縁から外方に突出しないよう寸法設定されているから、該上部可動体１３が大きく移動してもラック２８が遊技者から視認されることはなく、見栄えが低下することはない。更には、前記上部可動体１３の固定部２６とラック２８との固定位置に対してピニオン２９がラック２８に噛合する位置が離間している状態では、該ピニオン２９からラック２８に加わる力によって上部可動体１３はより揺動し易いため、該上部可動体１３は左右方向に大きく移動してより興趣の向上を図り得る。
【０１４４】
また、前記裏ユニット４３に配設される装飾部材１４は、上部可動体１３が配設される前板４０の下端に、後方に向けて下方傾斜する庇部４１が設けられているから、前記窓口１２ａの上側に位置する上部可動体１３の裏側が遊技者から視認されるのを抑制して見栄えを確保し得る。しかも、庇部４１を後方に向けて下方傾斜させてあるから、奥行き感を出すことができる(図３１参照)。更に、前記庇部４１には、前記ラック２８と対応する位置に通孔４１ａが形成されて、該通孔４１ａをラック２８が上下移動するよう構成してあるので、上部可動体１３の裏側を隠すための庇部４１によって上部可動体１３の移動範囲が規制されることはなく、上部可動体１３を大きく移動させて演出効果を高めることができる。
【０１４５】
前記上部可動体１３に配設されている上部可動体用発光装置４４は、該上部可動体１３の動作に応じて発光、消灯、点滅等の発光演出を行なう。この場合に、上部可動体用発光装置４４の第１および第２のレンズカバー２０,２３のレンズ面２０ａ,２３ａは、図３１に示す如く、下向きに傾斜しているから、該発光装置４４のＬＥＤ１７からの光は、レンズ面２０ａ,２３ａによって斜め下方に向けて照射される。すなわち、前記窓口１２ａの上側に上部可動体１３を配設したもとで、遊技を行なっている遊技者の目線近傍に向けて上部可動体用発光装置４４から光を照射することができ、図柄表示装置１１の表示部を注視している遊技者に、上部可動体１３の上下動に伴って上下に移動する光を照射して、演出効果を向上し得る。また、前記上部可動体用発光装置４４における上部可動体用ＬＥＤ基板１８の実装面１８ａは、上部可動体１３の移動方向と平行(盤面と平行)で、該ＬＥＤ基板１８に配設されているＬＥＤ１７自体の光の照射方向は実装面１８ａと直交する正面であり、上部可動体用ＬＥＤ基板１８自体を斜めに配置することなく、第１および第２のレンズカバー２０,２３のレンズ面２０ａ,２３ａを傾斜させるだけの簡単な構成で光を斜め下方に向けて照射することができる。
【０１４６】
前記上部可動体用ＬＥＤ基板１８に配設されている複数のＬＥＤ１７に関して、図２７に示す如く、レンズ面２０ａ,２３ａに対する離間距離が遠い上側の領域に配置されている左右のＬＥＤ１７,１７同士の離間距離を、レンズ面２０ａ,２３ａに対する離間距離が近い下側の領域に配置されている左右のＬＥＤ１７,１７同士の離間距離より大きく設定している。このように、レンズ面２０ａ,２３ａに対する離間距離が異なる領域に配設されているＬＥＤ１７,１７同士の離間距離を変えることで、レンズ面２０ａ,２３ａの全体を略均等に発光させることができる。すなわち、ＬＥＤ１７の光がレンズ面２０ａ,２３ａに点光となって表われるのを抑制して、点光により演出効果が低下するのを防止し得る。また、第１のレンズカバー２０のレンズ面２０ａに第１の光拡散シート２１が貼着されると共に、第１および第２のレンズカバー２０,２３の両レンズ面２０ａ,２３ａの間に第２の光拡散シート２４が配設されているから、両光拡散シート２１,２４によりＬＥＤ１７からの光でレンズ面２０ａ,２３ａの全体を更に均等に発光させることができる。
【０１４７】
（上部可動体の組立てについて）
前記上部可動体１３の取付部材２２に対し、前記第２のレンズカバー２３はボス２２ｂおよび位置決めピン２２ｃと第２の凹部２３ｃとを嵌合することによって周方向の位置決めがなされ、この第２のレンズカバー２３に対し、前記第２の光拡散シート２４および第１のレンズカバー２０は、位置決め突部２３ｂに第３の凹部２４ａおよび第１の凹部２０ｂを嵌合することによって周方向の位置決めがなされる。そして、前記取付部材２２の位置決めピン２２ｃを、前記ベース体１６の位置決め孔２５ｂに嵌挿して位置決めした状態で、前記ベース体１６の通孔２５ｃに裏側から挿通したネジを取付部材２２の対応するボス２２ｂに設けたネジ孔に螺挿することで、第１および第２のレンズカバー２０,２３が組付けられた取付部材２２がベース体１６に取付けられる。
【０１４８】
前記取付部材２２に形成されるボス２２ｂおよび位置決めピン２２ｃの夫々の周方向の離間距離は異なるように設定されて、取付部材２２に対して第２のレンズカバー２３は周方向の１つの位置でのみ組付けられ、かつ第２のレンズカバー２３に対して第１のレンズカバー２０も位置決め突部２３ｂと第１の凹部２０ｂとにより周方向の一つの位置でのみ組付けられるよう構成してあるから、両レンズカバー２０,２３のレンズ面２０ａ,２３ａは同じ下向き姿勢となる。また、前記第１のレンズカバー２０の後端縁は、上側から下側に向かうにつれて前側に偏倚するよう傾斜しており、該後端縁を前記上部可動体用ＬＥＤ基板１８の実装面１８ａに当接することで、該実装面１８ａに対して前記レンズ面２０ａを斜め下向きに傾斜する姿勢に簡単に位置決めすることができる。更に、上部可動体１３を構成するベース体１６における筒状部２５の前端縁は、上側から下側に向かうにつれて後側に偏倚するよう傾斜しているから、該前端縁に前記取付部材２２の後端縁を当接するだけで、該取付部材２２に組付けられている第２のレンズカバー２３のレンズ面２３ａを、前記実装面１８ａに対して斜め下向きに傾斜する姿勢に簡単に位置決めすることができる。
【０１４９】
（上部可動体用発光装置の配線絡み防止について）
前記上部可動体用発光装置４４の上部可動体用ＬＥＤ基板１８から導出する上部可動体発光用配線ＬＬ１は、前記装飾部材１４に形成した第１の挿通孔１４ｂおよび前記表カバー体４５に形成した第２の挿通孔４７を介して表カバー体４５の裏側に通出された後、前記一方の上部発光装置４８の上部ＬＥＤ基板９８に設けられた中継用コネクタソケット９８ｃに接続される。そして、前記上部可動体１３が上下移動する際に、上部可動体発光用配線ＬＬ１は、前記第１および第２の挿通孔１４ｂ,４７内を上下に移動する。前記第１の挿通孔１４ｂおよび第２の挿通孔４７の幅寸法は、上部可動体発光用配線ＬＬ１の幅より大きく設定されており、上部可動体１３(上部可動体用発光装置４４)の上下移動に伴って移動する上部可動体発光用配線ＬＬ１に、接触による負荷が加わるのは抑制される。
【０１５０】
前記上部可動体１３を作動する前記ラック２８には、前記表カバー体４５に配設した上部原位置検出手段３３で検出可能な被検出部３４が、後方に突出するように設けられている。この被検出部３４が移動する領域と、前記第１の挿通孔１４ｂとの間には、装飾部材１４における前板４０の裏面に設けた規制壁３６が臨んでおり(図３０参照)、被検出部３４と第１の挿通孔１４ｂから裏側に通出された上部可動体発光用配線ＬＬ１との移動領域を左右に仕切っている。すなわち、上部可動体１３の移動に際して上部可動体発光用配線ＬＬ１が被検出部３４側に屈曲するのを規制壁３６で防止することができ、該配線ＬＬ１が被検出部３４に絡まるのを防ぐことができる。従って、上部可動体１３の動作が上部可動体発光用配線ＬＬ１によって阻害されたり、該配線ＬＬ１のコネクタ接続部が外れる問題が発生するのを防止し得る。
【０１５１】
また、前記装飾部材１４の前板４０には、前記上部可動体１３が第１位置に臨む状態で、前記上部可動体用発光装置４４の上部可動体用ＬＥＤ基板１８に設けたコネクタソケット３７が臨む部位に、前記第１の挿通孔１４ｂから後方に離間して保護壁３８が設けられている(図３４参照)。すなわち、上部可動体１３が下方から第１位置に移動する際に、コネクタソケット３７に接続されている上部可動体発光用配線ＬＬ１が、前記保護壁３８の下端縁に当接し、該配線ＬＬ１は第１の挿通孔１４ｂ側に変位される。すなわち、保護壁３８によって上部可動体発光用配線ＬＬ１は、側方(前記被検出部３４の移動領域側)ではなく、前方(第１の挿通孔１４ｂ側)に変位されるから、該配線ＬＬ１が被検出部３４に引掛かるのをより防止できる。しかも、前記上部可動体１３が第１位置に臨む状態において、前記被検出部３４が保護壁３８の側方に位置しているから、上部可動体１３が第１位置に到来する際には、既に保護壁３８によって上部可動体発光用配線ＬＬ１は第１の挿通孔１４ｂ側に変位されているから、該配線ＬＬ１が被検出部３４に絡むのは確実に防止される。
【０１５２】
前記ラック２８の歯部２８ａは、図２９,図３０および図３４に示す如く、前記第１の挿通孔１４ｂとは左右反対側に臨んでいるから、該歯部２８ａに噛合する前記ピニオン２９と、第１の挿通孔１４ｂに挿通されている上部可動体発光用配線ＬＬ１とは大きく離間しており、該配線ＬＬ１がピニオン２９に絡むのは防止される。更に、前記装飾部材１４における前板４０の裏面には、第１の挿通孔１４ｂを挟んで規制壁３６と反対側に補助規制壁１５０を突設してあるから、第１の挿通孔１４ｂから裏側に通出された上部可動体発光用配線ＬＬ１が、上部可動体１３の移動時に規制壁３６から離間する側(正面左側)に大きく屈曲するのも防止することができる。すなわち、前記表カバー体４５の前面に配設されている上部発光装置４８の前面側に上部可動体発光用配線ＬＬ１が延出するのを規制し、上部発光装置４８による照明の邪魔となるのを防ぐことができる。
【０１５３】
なお、前記上部可動体１３の被検出部３４が、表カバー体４５の長溝４２に臨んで移動するよう構成してあるから、上部可動体１３の移動に伴って被検出部３４が移動する際に、該被検出部３４が他の部品等に接触して損傷するのを防止することができる。
【０１５４】
（側部可動演出装置について）
前記裏ユニット４３の右側枠部４３ｄに配設される側部可動演出装置１２７は、各可動機構部１２８のカバー部材５６が、前記装飾枠１２の窓口１２ａにおける右側に画成した３つの露出窓１３０ａの夫々に臨んでいる(図３参照)。各可動機構部１２８において、露出窓１３０ａに臨むカバー部材５６は、前記図柄表示装置１１の表示部で実施される図柄変動ゲームに応じて前記側部モータ５７によって正逆回転されて、所要の動作演出が行なわれる。また各可動機構部１２８のベース部材１５４に配設されている側部可動体用発光装置６２の各ＬＥＤ１５５ａ,１５５ｂが、前記図柄変動ゲーム等に応じて発光、消灯または点滅するよう制御されて発光演出が行なわれる。すなわち、可動機構部１２８においては、カバー部材５６の動作と、側部可動体用発光装置６２の発光との両方の演出が行なわれるから、装飾・演出効果が高められる。
【０１５５】
また、前記側部可動演出装置１２７を前記表カバー体４５の設置面部１３６ａに取付けるための台座部材１３１は、前記装飾枠１２に設けられた被覆部１３０ｂで被覆されて取付部分が前側から視認し得ないように構成してあるから、側部可動演出装置１２７の周囲の見栄えが低下するのは防止される。側部可動演出装置１２７における最下位の可動機構部１２８は、図１または図３に示す如く、前記装飾枠１２に設けられているステージ６５の右側方に位置しており、前記球誘導部６６を介してステージ６５の左側に通出されたパチンコ球が該ステージ６５上を右側に転動した際に、最下位の可動機構部１２８に接触するおそれがある。しかるに実施例においては、ステージ６５の右端側に球用保護壁１２９が設けられているから、ステージ６５上を右側に転動するパチンコ球が最下位の可動機構部１２８に接触するのは球用保護壁１２９で防止できる。従って、パチンコ球によって可動機構部１２８が傷付いたり、前記カバー部材５６の回転が阻害されたり、あるいはカバー部材５６の回転によってパチンコ球の動きに影響を与えるのを防ぐことができる。更には、球用保護壁１２９を設けることで、側部可動演出装置１２７を配設し得る範囲をステージ６５の側方および下方にまで広げることができ、設計の自由度が増す。
【０１５６】
前記可動機構部１２８では、側部可動体用発光装置６２が配設されるベース部材１５４に対し、カバー部材５６のみが回転するよう構成されているから、側部可動体用発光装置６２に接続される側部可動体発光用配線ＬＬ２、前記側部モータ５７に接続する側部駆動用配線ＰＬ２および側部原位置検出手段５９に接続する側部検出用配線ＤＬ２は、カバー部材５６の回転によって移動しないので、該配線ＬＬ２,ＰＬ２,ＤＬ２に対する断線防止対策等を施す必要はなく、装置を簡略化し得る。また装置構成が簡単になることで、装置を構成する各部品の組付けも簡単になる。
【０１５７】
前記側部可動体用発光装置６２に接続される側部可動体発光用配線ＬＬ２および側部原位置検出手段５９に接続する側部検出用配線ＤＬ２は、前記円筒状設置部１５２の板面部１５２ａに形成された挿通孔１５２ｄを介して該円筒状設置部１５２の内部空間１５２ｂに引込まれた後、前述したように表カバー体４５の側部挿通部５８を介して部品収容空間Ｓに通入される。すなわち、円筒状設置部１５２に配設されて板面部１５２ａより前側に位置する部品１０５,５９から導出する配線ＬＬ２,ＤＬ２を、前記台座部材１３１の周囲に引回す必要はなく、配線処理が容易となる。
【０１５８】
前記側部可動体用ＬＥＤ基板１０５に配設されている基板中心側の第１ＬＥＤ１５５ａと、外周端縁側の第２ＬＥＤ１５５ｂとで、発光色または発光強度が異なるよう設定されると共に、前記透明レンズ部材１６１の装飾面部１６３には、第１ＬＥＤ１５５ａが対向する領域と第２ＬＥＤ１５５ｂが対向する領域とで異なる光拡散処理が施されているから、両方の相乗効果によって、興趣の高い発光演出を行ない得る。すなわち、カバー部材５６の停止時および回転時の何れの場合も、中心側と外周縁側とで光の拡散状態が変化するから、装飾・演出効果が向上する。また、カバー部材５６の原位置において、該カバー部材５６の装飾フレーム体１６２における所定位置の連結片部１６５ｃが、対応する位置の第２ＬＥＤ１５５ｂの前側に臨んで覆っているから、原位置でカバー部材５６が停止している状態での第２ＬＥＤ１５５ｂの全体の発光量は、カバー部材５６が回転している時より低くなり、カバー部材５６の停止時と回転時とで発光演出の差別化を図ることができる。
【０１５９】
また、前記透明レンズ部材１６１における前記装飾面部１６３の裏側に光拡散シート１７１が設けられているから、当該光拡散シート１７１によってもカバー部材５６における光の拡散作用をより向上し得る。しかも、光拡散シート１７１は、前記第２ＬＥＤ１５５ｂが対向する領域のみを覆うように設けてあるから、第１ＬＥＤ１５５ａと第２ＬＥＤ１５５ｂとによる発光度合を異ならせて変化のある発光演出が可能となる。
【０１６０】
前記側部可動演出装置１２７における各可動機構部１２８が配設される円筒状設置部１５２の板面部１５２ａは、当該側部可動演出装置１２７が設置される前記表カバー体４５の設置面部１３６ａからの離間距離および傾斜角度が異なるよう設定されており、従って各可動機構部１２８のカバー部材５６の指向方向も夫々異なっている。すなわち、遊技を行なっている遊技者に対して異なる方向から光を照射することができ、興趣のある発光演出ができる。また、側部可動演出装置１２７における３つのカバー部材５６の指向方向は、角度は異なるものの基本的には前記装飾枠１２の窓口１２ａ中央側(遊技者の顔が臨む側)に向けられており、前記上部可動演出装置１３４の上部可動体用発光装置４４からの光の照射方向と相俟って、遊技者に対して発光演出をアピールすることができる。
【０１６１】
前記カバー部材５６を構成する固定部材１６０、透明レンズ部材１６１および装飾フレーム体１６２は、装飾フレーム体１６２の各ボス１６５ｄを透明レンズ部材１６１の第２の通孔１６１ｂに挿通すると共に固定部材１６０の凹部１７０ａに嵌合した状態で、該固定部材１６０の第１の通孔１７０ｂを介してボス１６５ｄのネジ孔にネジを螺挿するだけで簡単に位置決め固定できる。しかも、これらの部材１６０,１６１,１６２を位置決めするために装飾フレーム体１６２に設けられる各ボス１６５ｄは、前記フレーム部１６５における連結片部１６５ｃの裏側に位置しているから、該ボス１６５ｄが前側から視認されることはなく、見栄えが低下することはない。また、透明レンズ部材１６１は、固定部材１６０と装飾フレーム体１６２とで挟持して位置決め固定する構成であるから、透明レンズ部材１６１の専用の固定手段を省略して部品点数および組立て工数を低減し得る。
【０１６２】
前記ベース部材１５４に配設される側部原位置検出手段５９は、図４０に示す如く、該ベース部材１５４から径方向外方に突出しないようになっているから、可動機構部１２８自体を小型化(径方向の小型化)することができる。また、側部原位置検出手段５９は、一方の片５９ａ(５９ｂ)が、ベース部材１５４のセンサ嵌合溝１５４ｃに嵌合すると共に、他方の片５９ｂ(５９ａ)が、前記板面部１５２ａの切欠凹部１５２ｅに臨むよう構成してあるから、板面部１５２ａとベース部材１５４との離間距離を側部原位置検出手段５９の前後寸法より短かくすることができ、可動機構部１２８自体を小型化(軸方向の小型化)が可能となる。
【０１６３】
前記固定部材１６０に配設されて、前記側部原位置検出手段５９で検出可能な位置検出片１７２における固定片１７２ａは、図４０に示す如く、前記透明レンズ部材１６１の周壁部１６４の内面に当接支持されているから、カバー部材５６の回転時に位置検出片１７２が径方向外方に変位するのを防止し得る。すなわち、側部原位置検出手段５９における第１片５９ａと第２片５９ｂとの間に臨む検出片１７２ｂが径方向外方に変位して、該第１片５９ａと第２片５９ｂとの間の適正な位置に臨まなくなるのを防ぎ、検出不良が発生するのを抑制し得る。
【０１６４】
前記カバー部材５６の連結部１６７を前記側部モータ５７の出力軸に固定するためのネジの頭部は、前記透明レンズ部材１６１の周壁部１６４および前記装飾フレーム体１６２の筒状部１６６に形成されて径方向に整列する開口部１６４ａ,１６６ａに指向している。また、前記側部可動体用ＬＥＤ基板１０５には、前記第２貫通孔１０５ａから基板周端まで延在する切欠き溝１０５ｄが形成されており、前記ベース部材１５４(側部可動体用ＬＥＤ基板１０５)に対してカバー部材５６を回転させて透明レンズ部材１６１および装飾フレーム体１６２の開口部１６４ａ,１６６ａを側部可動体用ＬＥＤ基板１０５の切欠き溝１０５ｄに臨ませることで、前記連結部１６７に螺着されたネジにアクセス可能な外方に開口する操作路が形成される。従って、操作路を介してドライバー等の工具をカバー部材５６の内部に挿入してネジを着脱操作することで、側部モータ５７に対してカバー部材５６を着脱し得る。しかも、開口部１６４ａ,１６６ａが切欠き溝１０５ｄに臨んでいない状態では前記ネジはカバー部材５６で覆われて外部から視認不能であるので、見栄えを低下させることはない。また、側部可動体用ＬＥＤ基板１０５に切欠き溝１０５ｄを形成してあるから、工具を挿入するために、該ＬＥＤ基板１０５とカバー部材５６の前記固定部材１６０との間に大きな隙間を設ける必要はなく、両者１０５,１６０を近接して配置することができるから、可動機構部１２８全体の前後寸法をより小さくしてコンパクト化を図り得る。
【０１６５】
更に、前記カバー部材５６を回転させて透明レンズ部材１６１および装飾フレーム体１６２の開口部１６４ａ,１６６ａを側部可動体用ＬＥＤ基板１０５の切欠き溝１０５ｄに臨ませて前記操作路を形成した位置では、前記位置検出片１７２の検出片１７２ｂは前記側部原位置検出手段５９の第１片５９ａと第２片５９ｂとの間に臨まないようになっている。従って、操作路を介して出力軸を固定しているネジを取外した後、その位置で誤ってカバー部材５６をベース部材１５４から離間させた際に、検出片１７２ｂが側部原位置検出手段５９の第１片５９ａまたは第２片５９ｂに接触して両者が損傷するのを防止することができる。
【０１６６】
（縦発光装置について）
前記装飾枠１２の左側枠部８８に設けられている前記光透過性の壁部８９における前記窓口１２ａと反対側の左側には、前記裏ユニット４３に配設された縦発光装置９０が配置されている。この縦発光装置９０のＬＥＤ９２ａを発光させることで、壁部８９の窓口１２ａを向く側面部８９ａに向けて光が照射されて照明される。すなわち、前記図柄表示装置１１の表示部が臨む窓口１２ａに対し、側方から照明することができ、前記上部発光装置４８のように正面側を照明する態様とは異なる発光演出が行なわれ、興趣の向上を図り得る。しかも、縦発光装置９０は、遊技盤１０の裏側に配設される裏ユニット４３に配設されるものであるから、前記装飾枠１２の窓口１２ａを小さくする必要はなく、大型の図柄表示装置１１を採用することができる。
【０１６７】
また、前記壁部８９の下方に位置する前記球誘導部６６の裏側には、前記裏ユニット４３に配設した側部発光装置６４が配設されており、該側部発光装置６４のＬＥＤ６４ｃを発光させることで、注目度の高い球誘導部６６を裏側から照明することができる。しかも、側部発光装置６４は、遊技盤１０の裏側に配設される裏ユニット４３に配設されるものであるから、装飾枠１２の窓口１２ａを小さくすることなく、注目度の高い球誘導部６６を効果的に照明し得る。更に、前記遊技盤１０において、遊技領域１０ａに打込まれたパチンコ球の動きを遊技者が注目している装飾枠１２の左側で、上側の壁部８９に対する縦発光装置９０による照明方向と、下側の球誘導部６６に対する側部発光装置６４による照明方向とを異ならせているから、遊技者に対して興趣のある発光演出が可能となる。
【０１６８】
前記壁部８９は、その前面部８９ｂも光透過性を有しており、該前面部８９ｂの裏側に臨む前記縦発光装置９０を前側から視認可能となっている。しかるに、縦発光装置９０におけるケース体９１の前壁９６を不透明としてあるから、ケース体９１に収容されている縦ＬＥＤ基板９２は、壁部８９を介して前側から視認し難くなっており、見栄えが低下するのは抑制される。また、前記側部発光装置６４が裏面に配設される前記表カバー体４５の前壁１３６には光拡散処理が施されているから、該側部発光装置６４の側部ＬＥＤ基板６４ａが、透明な球誘導部６６を介して前側から視認し難く、基板が見えることによる見栄えの低下は防止できる。
【０１６９】
前記縦発光装置９０では、前記ケース体９１の上下の壁９４,９５に形成した溝９４ａ,９５ａに、縦ＬＥＤ基板９２の上下の端縁部を挿入して収容することで、ケース体９１に収容した縦ＬＥＤ基板９２に実装したＬＥＤ９２ａを、前記壁部８９の側面部８９ａに対向する位置に臨ませることができる。前記ケース体９１の外側壁９３には、図４２または図４３に示す如く、後端から前側に向けて所定長さの開口部９３ｃが形成されて、この開口部９３ｃに臨む縦ＬＥＤ基板９２の裏面にＬＥＤ用の抵抗９２ｂが配置されているから、抵抗９２ｂが発する熱は開口部９３ｃから排出され、熱がケース体内にこもることによる不具合の発生を防止し得る。また、縦ＬＥＤ基板９２の裏面に設けられるコネクタソケット９２ｃは、前記開口部９３ｃに臨んでいるから、該コネクタソケット９２ｃに対する縦発光用配線ＬＬ７の接続作業を簡単に行ない得る。
【０１７０】
（隅部発光装置について）
前記裏ユニット４３の右上隅に配設されている前記隅部発光装置１３３のランプカバー１００には、図１４に示す如く、前記隅部ＬＥＤ基板９９に実装されている各ＬＥＤ９９ｂと対応する位置に通孔１００ａが形成されており、各ＬＥＤ９９ｂからの光はランプカバー１００で遮られることなく直接前方に照射される。また、前記装飾枠１２の窓口１２ａにおける前記隅部発光装置１３３が臨む右上隅部には、該隅部発光装置１３３のランプカバー１００を前側から覆う透明な装飾体１０１が設けられている(図３参照)。すなわち、装飾体１０１には、ランプカバー１００の通孔１００ａを介してＬＥＤ９９ｂからの光が直接照射されるから、該装飾体１０１では各ＬＥＤ９９ｂからの光が略拡散されることなく点光状態で強く輝く。
【０１７１】
これに対し、前記裏ユニット４３の上部に配設されている上部発光装置４８は、該上部発光装置４８の前側に臨む装飾部材１４に光拡散加工が施されて、該上部発光装置４８のＬＥＤ９８ｂから照射される光は、装飾部材１４で拡散されて点光とはならないようにしてある。このように、隅部発光装置１３３の発光による演出と、上部発光装置４８の発光による演出とでは、窓口１２ａ側に現われるＬＥＤ９９ｂ,９８ｂの光り方が異なり、画一的でない異なる態様での発光による演出を行なうことができ、演出効果を向上し得る。また、隅部発光装置１３３の下側に位置する前記側部可動演出装置１２７に配設されている側部可動体用発光装置６２においても、前記上部発光装置４８での発光態様と同様にＬＥＤ１５５ａ,１５５ｂの光を拡散するようにしているから、隅部発光装置１３３の発光演出は、該側部可動演出装置１２７での発光演出とも差別化が図られている。
【０１７２】
（電源用中継基板の取外しについて）
前記裏カバー体４６の下枠４６ｂに形成されている第２の下部基板設置部７０に装着されている電源用中継基板６９は、前面が下支持片７１ｂ、左側支持片７１ｃおよび突部７４の後端に当接すると共に、上下の後面に規制片７２および係止フック７３の係止爪７３ａが係合(図４５参照)している。また、電源用中継基板６９の前記位置決め孔６９ａに第２の下部基板設置部７０の位置決めピン７６が嵌挿されて、該電源用中継基板６９の右端は、矩形枠部７１における右側支持片７１ｄより左側に位置して該右側支持片７１ｄの後端に当接しない状態となっている。
【０１７３】
前記第２の下部基板設置部７０から電源用中継基板６９を取外す際には、前記係止フック７３を下方(電源用中継基板６９から離間する側)に弾性変形させたもとで、第２の下部基板設置部７０の左側に位置する前記下部収容部６８の右側壁６８ａに形成されている凹部６８ｂを介して手指を電源用中継基板６９の左端縁に引掛けて矩形枠部７１から離間させる方向に力を加える。この場合に、電源用中継基板６９における下部収容部６８から離間する右端部の前面が、対応する右側支持片７１ｄの後端に当接しておらず、かつ規制片７２が裏面に係合している電源用中継基板６９の上端部側の前面は、左右方向の略中央に突部７４が当接するのみであるので、電源用中継基板６９の左端縁に引掛けて矩形枠部７１から離間させる方向に力を加えた際には、該中継基板６９の右端部側が前壁面１８４に近接する側に容易に傾く。すなわち、電源用中継基板６９を過度に変形させることなく、手指を引掛けた左端部側を前壁面１８４から離間させて係止フック７３から簡単に離脱させることができる。従って、電源用中継基板６９を取外しに際して損傷させることはない。
【０１７４】
前記第２の下部基板設置部７０に隣接して形成されている前記下部収容部６８の右側壁６８ａに、手指を挿入可能な凹部６８ｂを形成したことで、該下部収容部６８が障害となって第２の下部基板設置部７０に装着されている電源用中継基板６９の端縁に手指を引掛けることが困難となることはなく、側方に下部収容部６８があっても、第２の下部基板設置部７０から電源用中継基板６９を簡単に取外すことができる。また、第２の下部基板設置部７０と下部収容部６８とを近接して形成することが可能となり、前記裏カバー体４６における下枠４６ｂのスペースを有効利用することができる。更に、前記係止フック７３は、前記主制御装置１１９を取付けるために裏カバー体４６に設けられている前記取付部７５に一体に形成されているから、該係止フック７３の強度を向上することができ、電源用中継基板６９の着脱に際して係止フック７３が弾性変形を繰返すことで損傷するのを抑制し得る。
【０１７５】
(変更例)
本願は前述した実施例の構成に限定されるものではなく、その他の構成を適宜に採用することができる。
１．上部可動演出装置の上部可動体は、装飾枠に配設した装飾部材に上下動自在に配設する構成であってもよく、該上部可動体が装飾枠の窓口に臨むものであれば、上部可動体を支持する装飾部材が配設される対象は限定されず、遊技盤に直接配設するものであってもよい。
２．裏ユニットは、実施例では２つのカバー体を前後に組付けることで構成したが、１つの枠状の部材、例えば表カバー体または裏カバー体のみで構成されるものであってもよい。
３．実施例では、裏ユニット(表カバー体)の各枠部に各種の可動演出装置や発光装置を配設した場合で説明したが、少なくとも上枠部に上部可動演出装置が配設される構成であればよく、その他の枠部については可動演出装置や発光装置の配設位置や配設するか否かを選択し得る。
４．実施例では、下部発光装置および側部発光装置に接続する発光用配線を表カバーの前側を引回すよう構成したが、他の発光装置と同様に表カバーの裏側を部品収容空間に収容した状態で引回して第２の中継基板に接続するよう構成してもよい。
５．実施例では、第２の中継基板を裏カバー体に配設したが、該第２の中継基板も表カバー体に配設し、該第２の中継基板に接続される全ての発光用配線を部品収容空間に収容して引回した後に第２の中継基板に接続する構成を採用し得る。
６．実施例では、裏ユニットを構成する表カバー体に全ての可動演出装置や発光装置を配設した場合で説明したが、該裏ユニットを構成する裏カバー体に可動演出装置や発光装置を配設するようにしてもよい。例えば、下部発光装置や側部発光装置のように表カバー体の裏面に配設される発光装置を、裏カバー体の前面に配設することができる。
７．実施例では、裏ユニットに可動演出装置と発光演出装置とを配設したが、可動演出装置または発光装置の何れか一方のみを配設する構成を採用し得る。
８．側部可動演出装置は、実施例では裏ユニットに配設した場合で説明したが、装飾枠に配設する構成、あるいは遊技盤に直接配設する構成を採用し得る。
９．側部可動演出装置については、可動機構部は複数に限らず１つであってもよく、またその配設位置についても装飾枠の窓口における左側または上下の何れか、あるいは複数箇所に配設する構成であってもよい。
１０．第２の下部基板設置部について、実施例では上支持片に規制片を設けると共に下支持片側に係止フックを設けた場合で説明したが、上下逆の構成であってもよい。また第２の下部基板設置部は、下部収容部の左側に設けられるものであってもよく、この場合は下部収容部の左側壁に凹部が形成されていればよい。
１１．裏ユニットと遊技盤とを位置決めするための第２位置決めボスが設けられる遊技部品は、実施例のように普通入賞口および電飾装置が設けられるものに限定されるものではなく、普通入賞口または電飾装置のみが設けられるもの、その他各種の部品が配設されるものであってもよい。
１２．実施例では、光拡散処理が施されたランプカバー(装飾部材)を備える発光装置を窓口の上部中央に配置すると共に、ＬＥＤに対応する位置に通孔を形成したランプカバーを備える別の発光装置を窓口の右上隅に配置する構成で説明したが、両発光装置の配設位置はこれに限定されるものではない。なお、光拡散処理が施されたランプカバーを備える発光装置との別の発光装置との発光態様の対比を明確にする上では、両発光装置を隣り合わせて配置するのが好適である。
１３．側部可動体用発光装置に関して、側部モータで回転駆動されるカバー部材の構成は実施例のように３つの部品から構成されるものに限らず、２つあるいは１つの部品から構成されるものであってもよく、ＬＥＤからの光を透過可能な構成であればよい。またＬＥＤの配置についても、実施例のように略同心円状に２組のＬＥＤ群を配置する以外に、３組以上のＬＥＤ群を略同心円状に配置したり、あるいは複数のＬＥＤをランダムに配置する構成を採用することもできる。
【図面の簡単な説明】
【０１７６】
【図１】実施例に係るパチンコ機を示す正面図である。
【図２】実施例に係るパチンコ機を示す背面図である。
【図３】実施例に係る遊技盤と裏ユニットとを組付けた遊技盤ユニットを示す正面図である。
【図４】実施例に係る遊技盤ユニットを示す正面左斜視図である。
【図５】実施例に係る遊技盤ユニットを示す背面左斜視図である。
【図６】実施例に係る遊技盤を示す背面図である。
【図７】実施例に係る遊技盤と裏ユニットを分解した状態で示す斜視図である。
【図８】実施例に係る裏ユニットを分解した状態で示す斜視図である。
【図９】実施例に係る裏ユニットを示す正面図である。
【図１０】実施例に係る裏ユニットを示す縦断側面図である。
【図１１】実施例に係る裏ユニットの上枠部の縦断側面図である。
【図１２】実施例に係る裏ユニットの下枠部の縦断右側面図である。
【図１３】実施例に係る裏ユニットの下枠部の縦断左側面図である。
【図１４】実施例に係る表カバー体の正面図である。
【図１５】実施例に係る表カバー体を示す正面右斜視図である。
【図１６】実施例に係る表カバー体を示す正面左斜視図である。
【図１７】実施例に係る表カバー体を示す背面図である。
【図１８】実施例に係る表カバー体を示す背面右斜視図である。
【図１９】実施例に係る表カバー体を示す背面左斜視図である。
【図２０】実施例に係る表カバー体の右側面図である。
【図２１】実施例に係る表カバー体から各部品を取外した状態で示す正面図である。
【図２２】実施例に係る表カバー体から各部品を取外した状態で示す背面図である。
【図２３】実施例に係る裏カバー体を示す正面図である。
【図２４】実施例に係る裏カバー体の背面図である。
【図２５】実施例に係る裏カバー体を示す正面右斜視図である。
【図２６】実施例に係る裏カバー体を示す背面右斜視図である。
【図２７】実施例に係る上部可動体を示す分解正面斜視図である。
【図２８】実施例に係る上部可動体を示す分解背面斜視図である。
【図２９】実施例に係る上部可動体が配設された装飾部材を示す背面図であって、上部可動体が第１位置に臨む状態を示す。
【図３０】実施例に係る上部可動体が配設された装飾部材を示す背面図であって、上部可動体が第２位置に臨む状態を示す。
【図３１】実施例に係る表カバー体に配設された上部可動体を示す縦断側面図である。
【図３２】実施例に係る上部可動体のベース体と摺動部材との関係を示す要部背面図である。
【図３３】実施例に係る上部可動体のベース体、摺動部材およびラックの関係を示す要部縦断側面図である。
【図３４】実施例に係る装飾部材と上部可動体との関係を示す要部背面図である。
【図３５】実施例に係る側部可動演出装置の一部を分解して示す斜視図である。
【図３６】実施例に係る側部可動演出装置の背面右斜視図である。
【図３７】実施例に係る側部可動演出装置の背面左斜視図である。
【図３８】実施例に係る側部可動演出装置のベース部材、側部可動体用ＬＥＤ基板および側部モータを分解した状態で示す斜視図である。
【図３９】実施例に係るカバー部材の分解斜視図である。
【図４０】実施例に係る可動機構部を示す縦断側面図である。
【図４１】実施例に係る装飾枠の左側枠部を示す要部斜視図である。
【図４２】実施例に係る縦発光装置を示す分解斜視図である。
【図４３】実施例に係る縦発光装置を示す斜視図である。
【図４４】実施例に係る裏カバー体の第２の下部基板設置部を示す斜視図である。
【図４５】実施例に係る裏カバー体の第２の下部基板設置部を示す縦断側面図である。
【図４６】実施例に係る裏ユニットにおける各配線の接続関係を示す説明図である。
【符号の説明】
【０１７７】
１０ 遊技盤
１０ａ 遊技領域
１１ 図柄表示装置
１２ 装飾枠
１２ａ 窓口
５６ カバー部材
５７ 側部モータ(モータ)
５７ａ フランジ片
５７ｂ 通孔
５９ 位置検出手段
５９ａ 第１片
５９ｂ 第２片
１０５ 側部可動体用ＬＥＤ基板(ＬＥＤ基板)
１０５ａ 第２貫通孔
１０５ｂ 位置決め孔
１０５ｃ コネクタソケット
１２７ 側部可動演出装置(可動演出装置)
１３１ 台座部材
１５２ａ 板面部
１５２ｄ 挿通孔(開口部)
１５２ｅ 切欠き凹部
１５４ ベース部材
１５４ａ 第１貫通孔
１５４ｂ 開口部
１５５ａ 第１ＬＥＤ(ＬＥＤ)
１５５ｂ 第２ＬＥＤ(ＬＥＤ)
１５６ 囲繞片
１５７ 第２ボス
１５８ 固定部
１６０ 固定部材
１６１ 透明レンズ部材
１６２ 装飾フレーム体
１６３ 装飾面部
１６４ 周壁部
１６５ フレーム部
１６６ 筒状部
１７２ 位置検出片
１７２ａ 固定片
１７２ｂ 検出片
ＬＬ２ 側部可動体発光用配線(配線)
【図１】
2010069170.tif 000003
【図２】
2010069170.tif 000004
【図３】
2010069170.tif 000005
【図４】
2010069170.tif 000006
【図５】
2010069170.tif 000007
【図６】
2010069170.tif 000008
【図７】
2010069170.tif 000009
【図８】
2010069170.tif 000010
【図９】
2010069170.tif 000011
【図１０】
2010069170.tif 000012
【図１１】
2010069170.tif 000013
【図１２】
2010069170.tif 000014
【図１３】
2010069170.tif 000015
【図１４】
2010069170.tif 000016
【図１５】
2010069170.tif 000017
【図１６】
2010069170.tif 000018
【図１７】
2010069170.tif 000019
【図１８】
2010069170.tif 000020
【図１９】
2010069170.tif 000021
【図２０】
2010069170.tif 000022
【図２１】
2010069170.tif 000023
【図２２】
2010069170.tif 000024
【図２３】
2010069170.tif 000025
【図２４】
2010069170.tif 000026
【図２５】
2010069170.tif 000027
【図２６】
2010069170.tif 000028
【図２７】
2010069170.tif 000029
【図２８】
2010069170.tif 000030
【図２９】
2010069170.tif 000031
【図３０】
2010069170.tif 000032
【図３１】
2010069170.tif 000033
【図３２】
2010069170.tif 000034
【図３３】
2010069170.tif 000035
【図３４】
2010069170.tif 000036
【図３５】
2010069170.tif 000037
【図３６】
2010069170.tif 000038
【図３７】
2010069170.tif 000039
【図３８】
2010069170.tif 000040
【図３９】
2010069170.tif 000041
【図４０】
2010069170.tif 000042
【図４１】
2010069170.tif 000043
【図４２】
2010069170.tif 000044
【図４３】
2010069170.tif 000045
【図４４】
2010069170.tif 000046
【図４５】
2010069170.tif 000047
【図４６】
2010069170.tif 000048